(57)【要約】      （修正有）【課題】時間及び労力の量の増加を抑えながら、壁等の構造上に機器及びデバイスを取り付ける。【解決手段】機器取付システムは、先細の縁が表面または構造に結合している、迅速取付トラック（１１）を含む。該迅速取付トラックは、下地板と、迅速取付トラックに結合された取付具上に及ぼされるいかなる力も、１つ以上の取付点に迅速取付トラックを通して直接伝達されるように位置付けられた、１つ以上の取付点と、を含む。該迅速取付トラックは、また、迅速取付トラックと表面との間で封止を創出し、維持する面一な取付表面を含み、チェイスは、迅速取付トラック内に配置され、面一な取付表面によって画定される。下地板における複数のダイヤモンド外形をした標的領域及び複数の半ダイヤモンド外形をした領域は、迅速取付トラックに取付具を結合することを援助する。【選択図】図６７
2020051622.tif 000002
【特許請求の範囲】
【請求項１】
機器取付システムであって、
先細の縁が表面または構造に結合している、迅速取付トラックであって、
第１の板縁、第２の板縁、複数の係止ピン開口、第１の外側スロット、及び第２の外側スロットを有する下地板であって、前記第１の板縁、前記第２の板縁、前記複数の係止ピン開口、前記第１の外側スロット、及び前記第２の外側スロットのすべてが、互いに実質的に平行であり、前記下地板の長さにわたり、前記第１の板縁が先細になり、前記第２の板縁が先細になり、前記第１の板縁及び前記第２の板縁が、前記下地板の前記長さに沿って、前記下地板の最外部を画定する、下地板と、
前記迅速取付トラックに結合された取付具上に及ぼされるいかなる力も、１つ以上の取付点に前記迅速取付トラックを通して直接伝達されるように、前記第１の外側スロット及び前記第２の外側スロット内に位置付けられた、１つ以上の取付点と、
前記第１の板縁及び前記第２の板縁に沿って画定される面一な取付表面であって、前記迅速取付トラックと前記表面との間で封止を創出し、維持する面一な取付表面と、
前記迅速取付トラック内に配置され、前記面一な取付表面によって画定される、チェイスと、
前記第１の外側スロット及び前記第２の外側スロット内で離間配置され、前記複数の係止ピン開口と水平整合にある、複数のダイヤモンド外形をした標的領域と、
共通の縁に沿った、複数の半ダイヤモンド外形をした領域であって、前記共通の縁が、前記第１の板縁及び前記第２の板縁に実質的に直交している、複数の半ダイヤモンド外形をした領域と、を備える、迅速取付トラックを備える、機器取付システム。
【請求項２】
前記表面または構造が、移動物体である、請求項１に記載の機器取付システム。
【請求項３】
前記移動物体が、救急搬送車両である、請求項２に記載の機器取付システム。
【請求項４】
前記救急搬送車両が、救急車またはヘリコプタである、請求項３に記載の機器取付システム。
【請求項５】
前記迅速取付トラックに取り外し可能に結合されたトラッククリップをさらに備え、
基部が、前記迅速取付トラックのスロットと摺動可能に結合すること、及び前記迅速取付トラックに対する前記トラッククリップの移動を最小化することを可能にするように、スロット係合フランジ及び基部幅を有する、基部と、
結合器面に沿って前記基部に結合される結合器であって、前記結合器面が、前記基部上で前記スロット係合フランジの反対側にある、結合器と、
キャリヤ軸に沿って前記基部に結合されるてこ作用機能部であって、前記キャリヤ軸が、前記結合器面に実質的に直交する、てこ作用機能部と、
前記迅速取付トラック上で開放領域と摺動可能に結合するように、開放領域係合インターフェースを有し、かつ第１の延伸部分及び第２の延伸部分を備える、キャリヤであって、前記第１の延伸部分が、前記キャリヤ上の前記第２の延伸部分の反対側にあり、前記キャリヤが、前記キャリヤ軸に沿って前記てこ作用機能部に摺動可能に結合し、かつばねによって係合位置において付勢される、キャリヤと、を備える、請求項１に記載の機器取付システム。
【請求項６】
前記キャリヤが、前記キャリヤに結合される第１のリップ及び第２のリップをさらに備え、移行力が、前記第１のリップ及び前記第２のリップに加えられ、これによって、前記キャリヤが、前記係合位置から係脱位置までの間を移行し、前記係合位置が、前記迅速取付トラックに前記トラッククリップを留め付け、前記係脱位置が、前記迅速取付トラックから前記トラッククリップを解放する、請求項５に記載の機器取付システム。
【請求項７】
前記キャリヤが、前記キャリヤに結合されるスナッバパッドをさらに備え、前記トラッククリップが前記係脱位置にあるとき、前記スナッバパッドが前記基部内に引き戻され、前記トラッククリップが前記係合位置にあるとき、前記スナッバパッドが前記基部の基部表面を超えて延伸され、前記スナッバパッドが、前記トラッククリップが前記迅速取付トラックに対して移動するのを防止する一方で、前記トラッククリップが、前記係合位置において前記迅速取付トラックに結合される、請求項６に記載の機器取付システム。
【請求項８】
前記結合器が、フック、ペグ、留め金、ラッチ、光、またはＵ字形リングであり、前記基部が、前記トラッククリップと前記迅速取付トラックとの間で干渉嵌めを創出するアンチラトルコーティングにおいて被覆される、請求項５に記載の機器取付システム。
【請求項９】
前記迅速取付トラックに取り外し可能に結合される壁キャビネットをさらに備え、
格納容量を境界する部分的エンクロージャであって、前記部分的エンクロージャの最後尾の範囲を画定する後部壁を備える、部分的エンクロージャと、
ドアであって、前記部分的エンクロージャの最前部の範囲を画定して、前記部分的エンクロージャに移動可能に結合され、前記格納容量から外側容量を仕切る閉鎖位置、及び前記外側容量から前記格納容量までのアクセスを可能にする開放位置を有し、前記ドアが前記閉鎖位置にあるとき、前記格納容量内の物体が前記外側容量から視認可能であることを可能にするウィンドウを備える、ドアと、
前記部分的エンクロージャに結合されて、前記迅速取付トラックに前記壁キャビネットを留め付けるように構成される、キャビネット取付具であって、
前記格納容量内のキャビネット板と、
前記外側容量内の取付位置であって、１つ以上の締結デバイス及び螺合カラーを備え、前記後部壁が、前記キャビネット板と前記取付具との間で捕捉される、取付位置と、
係止ピンに対して付勢されるピンばねを備える、回転ノブであって、前記回転ノブが、前記螺合カラーと結合するように構成され、これによって、前記キャビネット取付具が前記迅速取付トラックに結合されるとき、前記係止ピンが、前記迅速取付トラックの係止ピン開口に結合されるまで、前記回転ノブが、前記螺合カラー内に挿入及び回転され、前記ピンばねが、前記迅速取付トラックと前記壁キャビネットとの間のいかなる移動も減衰させる、回転ノブと、を備える、キャビネット取付具と、を備える、請求項１に記載の機器取付システム。
【請求項１０】
前記壁キャビネットが、
前記部分的エンクロージャに、かつドアスイッチに結合した１つ以上の発光ダイオード（ＬＥＤ）光を備え、前記１つ以上のＬＥＤ光が、低光量動作の間は赤色で、日中動作の間は白色で、前記格納容量を照明し、前記ドアが前記開放位置に移行されるとき、前記ドアスイッチが前記１つ以上のＬＥＤ光を起動させ、
前記部分的エンクロージャが、
底壁であって、前記部分的エンクロージャの下部延伸を画定し、前記ドアが前記開放位置にあるとき、前記物体が、前記格納容量から前記外側容量内に摺動することを妨げるように構成される保持リップを備える、底壁と、
前記部分的エンクロージャの第１の側壁に結合される第１の型枠であって、前記壁キャビネットとの衝撃の力を吸収するように構成され、前記壁キャビネットが、前記迅速取付トラック上で把持され、位置付けられることを可能にする構造をさらに備える、第１の型枠と、
前記部分的エンクロージャの第２の側壁に結合される第２の型枠であって、前記壁キャビネットとの衝撃の力を吸収するように構成され、前記壁キャビネットが、前記迅速取付トラック上で把持され、位置付けられることを可能にするグリップ構造をさらに備え
る、第２の型枠と、をさらに備える、請求項９に記載の機器取付システム。
【請求項１１】
前記迅速取付トラックに取り外し可能に結合されるラップトップ取付具をさらに備え、
プラットフォームと、
前記プラットフォームの完全な可動域を可能にする関節運動玉継手であって、第１の玉、第２の玉、及び圧縮クランプを備え、前記圧縮クランプが、前記圧縮クランプの第１の端部において前記第１の玉を、第２の端部において前記第２の玉を捕捉し、前記迅速取付トラックに対する前記プラットフォームの移動を凍結または抑制するために使用され、前記第１の玉が、前記プラットフォームに結合される、関節運動玉継手と、
係止位置と解放位置との間で前記ラップトップ取付具を移行させるためのラップトップ係止具であって、前記係止位置が、前記プラットフォームにラップトップを留め付けて、前記解放位置が、前記ラップトップが前記プラットフォームから取り外されることを可能にする、ラップトップ係止具と、を備え、
前記取付具が、前記第２の玉に結合されて、前記迅速取付トラックに前記ラップトップ取付具を取り外し可能に結合するように構成される、請求項１に記載の機器取付システム。
【請求項１２】
前記迅速取付トラックに取り外し可能に結合されるトレイ取付具をさらに備え、
トレイラックと、
前記トレイラックの完全な可動域を可能にする関節運動玉継手であって、第１の玉、第２の玉、及び圧縮クランプを備え、前記圧縮クランプが、前記圧縮クランプの第１の端部において前記第１の玉を、第２の端部において前記第２の玉を捕捉し、前記迅速取付トラックに対する前記トレイラックの移動を凍結または抑制するために使用され、前記第１の玉が、前記トレイラックに結合される、関節運動玉継手と、
１つ以上の回転ポストであって、前記１つ以上の回転ポストが保持位置にあるとき、前記トレイラック内でトレイを捕捉する、１つ以上の回転ポストと、を備え、
前記取付具が、前記関節運動玉継手に結合されて、前記迅速取付トラックに前記トレイ取付具を取り外し可能に結合するように構成される、請求項１に記載の機器取付システム。
【請求項１３】
前記迅速取付トラックに取り外し可能に結合される酸素ボンベ取付具をさらに備え、
１つ以上の酸素ボンベを保持するように構成されるフレームと、
前記フレームに結合されて、位置間で前記酸素ボンベ取付具を移動するために使用される、フレームハンドルと、
前記フレームに結合される１つ以上の保持クランプであって、各々が、酸素ボンベが前記保持クランプに取り外し可能に結合されることを可能にする迅速解放部を有する、１つ以上の保持クランプと、
チューブネットワークによって各酸素ボンベに流体結合して、１つ以上の医療デバイスと流体結合するように構成される、マニホルドと、
前記フレームの後部表面に結合され、前記後部表面上に配設されて、前記迅速取付トラックに前記酸素ボンベ取付具を取り外し可能に結合する、複数の取付スタッドと、
前記フレームに結合され、解放ハンドルと、係止位置において付勢される１つ以上の係止ピンとを有する１つ以上のトラック解放部であって、各係止ピンが、前記迅速取付トラックの係止ピン開口と摺動可能に結合し、前記解放ハンドルが、前記係止ピン開口から係止ピンを引っ張って、前記迅速取付トラックから前記酸素ボンベ取付具を解放するように構成される、１つ以上のトラック解放部と、を備える、請求項１に記載の機器取付システム。
【請求項１４】
前記迅速取付トラックに取り外し可能に結合される除細動器取付具をさらに備え、
上端部及び下端部を有するｃ−フレームと、    前記ｃ−フレームの前記下端部に結
合されて、１つ以上の保持ブロック及び保持リップを有する、基部であって、各保持ブロックが、除細動器と摺動可能に結合されて、前記除細動器を前記基部に留め付けるために使用され、前記保持リップが、側方運動から前記除細動器を抑制するために使用され、前記除細動器取付具内に前記除細動器を設置するとき、ガイドとしての機能を果たす、基部と、
前記上端部に結合されて、前記除細動器のハンドルを捕捉して、保持するように構成される、顎型クランプであって、上顎、下顎、解放ボタン、バー、及びｊ−ラッチを備える、顎型クランプと、を備え、前記バーが、前記下顎に結合され、前記解放ボタン及び前記ｊ−ラッチが、前記上顎に結合され、前記ｊ−ラッチが、ラッチ位置において前記バーを捕捉して、保持するように構成され、前記解放ボタンが、前記ｊ−ラッチを起動させて、ラッチ解除位置において前記バーを解放するように構成され、
前記取付具が、前記ｃ−フレームに結合されて、前記迅速取付トラックに前記除細動器取付具を取り外し可能に結合するように構成される、請求項１に記載の機器取付システム。
【請求項１５】
前記迅速取付トラックに取り外し可能に結合される圧縮除細動器取付具をさらに備え、
前記圧縮除細動器取付具を補強して、それを衝突時に動作可能にする構造的押さえ材を有するｃ−フレームと、
前記ｃ−フレームの下端部に結合されて、１つ以上の保持ブロック及び保持リップを有する、基部であって、各保持ブロックが、除細動器と摺動可能に結合されて、前記除細動器を前記基部に留め付けるために使用され、前記保持リップが、側方運動から前記除細動器を抑制するために使用され、除細動器取付具内に前記除細動器を設置するとき、ガイドとしての機能を果たす、基部と、
上端に結合され、起動装置ハンドル及びデバイスインターフェースを備える除細動器ラッチであって、前記起動装置ハンドルが、係止位置と係止解除位置との間で移行し、前記デバイスインターフェースが、除細動器表面の外形を描き、これによって、前記デバイスインターフェースが、前記除細動器上で均一な力を及ぼして、前記除細動器ラッチと前記基部との間で前記除細動器を留め付ける、除細動器ラッチと、を備え、
前記取付具が、前記ｃ−フレームに結合されて、前記迅速取付トラックに前記圧縮除細動器取付具を取り外し可能に結合するように構成される、請求項１に記載の機器取付システム。
【発明の詳細な説明】
【関連出願】
【０００１】
関連出願の相互参照
本出願は、「Ｅｑｕｉｐｍｅｎｔ  Ｍｏｕｎｔｉｎｇ  Ｓｙｓｔｅｍ」と題された、２０１４年７月１８日に出願の米国仮出願第６２／０２６５１５号の利益を主張するものである。本出願は、「Ｅｑｕｉｐｍｅｎｔ  Ｍｏｕｎｔｉｎｇ  Ｓｙｓｔｅｍ」と題された、２０１３年２月１１日に出願の米国仮出願第６１／７６３，０４５号、「Ｅｑｕｉｐｍｅｎｔ  Ｍｏｕｎｔｉｎｇ  Ｓｙｓｔｅｍ」と題された、２０１４年２月１１日に出願のＰＣＴ出願第ＵＳ２，０１４／０１５，８９７号、「Ｅｑｕｉｐｍｅｎｔ  Ｍｏｕｎｔｉｎｇ  Ｓｙｓｔｅｍ」と題された、２０１４年８月８日に出願の弁理士整理番号第ＦＥＲ０５３４ＩＡ号、及び「Ａ  Ｃｒａｓｈ―Ｒｅａｄｙ，Ｐｏｒｔａｂｌｅ  Ｃｏｍｐａｒｔｍｅｎｔａｌｉｚａｔｉｏｎ  Ｄｅｖｉｃｅ」と題された、２０１４年８月８日に出願の弁理士整理番号第ＦＥＲ０５３３ＷＯ号に関連する。
【技術分野】
【０００２】
本明細書は、概して、構造上に、様々な構成において機器を取り付けるための機器取付システムに関し、より具体的には、車両内、及び構造上に機器を取り付けるためのトラック取付システムに関する。
【背景技術】
【０００３】
例えば、壁等の構造上に機器及びデバイスを取り付けることは、製造業者が、そのような機器及びデバイスを留め付けるために、それらの構造上に取り付ける位置に依存している。これは、各々１つの機器またはデバイスを、時間を浪費し、かつ大きな労働力を要し得るこれらの特定の位置に取り付けるための個々の適合を必要とし得る。さらにその上、該１つの機器またはデバイスが移動されることが所望される場合、新しい位置において該１つの機器またはデバイスを再び取り付けるための時間及び労力の量が増加される。機器及びデバイスを個々の適合するための労力の量は、自動車用途のために増加する。
【０００４】
したがって、例えば、可動用途のために車両の全体を通して及び車両の周囲に、もしくは構造用途のために壁上に、機器またはデバイスを留め付け、ならびに容易に再配置するための代替のアプローチの必要性が存在する。
【発明の概要】
【課題を解決するための手段】
【０００５】
機器取付システムは、先細の縁が表面または構造に結合している、迅速取付トラックを含む。該迅速取付トラックは、下地板と、迅速取付トラックに結合された取付具上に及ぼされるいかなる力も、１つ以上の取付点に迅速取付トラックを通して直接伝達されるように位置付けられた、１つ以上の取付点と、を含む。該迅速取付トラックは、また、迅速取付トラックと表面との間で封止を創出し、維持する面一な取付表面を含み、チェイスは、迅速取付トラック内に配置され、面一な取付表面によって画定される。下地板における複数のダイヤモンド外形をした標的領域及び複数の半ダイヤモンド外形をした領域は、迅速取付トラックに取付具を結合することを援助する。
【０００６】
図面と連動して、本明細書に記載された実施形態により提供されたこれら及び追加の特徴は、以下の詳細な説明を考慮してより完全に理解されるであろう。
【図面の簡単な説明】
【０００７】
図面中で述べられる実施形態は、性質上例示的で、特許請求の範囲によって定義される
主題を限定することを意図されるものではない。以下の図面と連動して解釈されるとき、同様の構造が同様の参照番号で指示さる、例示的な実施形態の以下の詳細な説明は理解され得る。
【０００８】
【図１】本明細書に示され、記載される１つ以上の実施形態に従う、トラックの等角争いを描写する。
【図２】本明細書に示され、記載される１つ以上の実施形態に従う、トラックの断面を描写する。
【図３】本明細書に示され、記載される１つ以上の実施形態に従う、取付具の等角背面図を描写する。
【図４】本明細書に示され、記載される１つ以上の実施形態に従う、トラック及び取付板の同相構成を描写する。
【図５】本明細書に示され、記載される１つ以上の実施形態に従う、トラック及び取付板の異相構成を描写する。
【図６】本明細書に示され、記載される１つ以上の実施形態に従う、取付具の別の実施形態の表表面を示す等角正面図を描写する。
【図７】本明細書に示され、記載される１つ以上の実施形態に従う、解放機構の内部の仕組みを描写する。
【図８】本明細書に示され、記載される１つ以上の実施形態に従う、取付具の別の実施形態を描写する。
【図９】本明細書に示され、記載される１つ以上の実施形態に従う、機器インターフェースの一例を描写する。
【図１０Ａ】本明細書に示され、記載される１つ以上の実施形態に従う、万能アダプタを描写する。
【図１０Ｂ】本明細書に示され、記載される１つ以上の実施形態に従う、万能アダプタを描写する。
【図１０Ｃ】本明細書に示され、記載される１つ以上の実施形態に従う、機器インターフェースの別の実施形態を描写する。
【図１１】本明細書に示され、記載される１つ以上の実施形態に従う、自動調整取付システムのウェッジ取付具を描写する。
【図１２】本明細書に示され、記載される１つ以上の実施形態に従う、ウェッジ取付具の第１のカラーを描写する。
【図１３】本明細書に示され、記載される１つ以上の実施形態に従う、ウェッジ取付具の断面図を描写する。
【図１４】本明細書に示され、記載される１つ以上の実施形態に従う、ウェッジインターフェースの正面図を描写する。
【図１５】本明細書に示され、記載される１つ以上の実施形態に従う、ウェッジインターフェースの側面図を描写する。
【図１６Ａ】本明細書に示され、記載される１つ以上の実施形態に従う、ウェッジインターフェースの等角図を描写する。
【図１６Ｂ】本明細書に示され、記載される１つ以上の実施形態に従う、ボウルが取り外されたウェッジインターフェースの底面図を描写する。
【図１７】本明細書に示され、記載される１つ以上の実施形態に従う、使用位置における折畳式トレイを描写する。
【図１８】本明細書に示され、記載される１つ以上の実施形態に従う、使用位置における折畳式トレイの別の等角を描写する。
【図１９】本明細書に示され、記載される１つ以上の実施形態に従う、回り継手取付具の等角図を描写する。
【図２０】本明細書に示され、記載される１つ以上の実施形態に従う、回り継手取付具の別の等角図を描写する。
【図２１】本明細書に示され、記載される１つ以上の実施形態に従う、使用位置における頭上式ＩＶフックを描写する。
【図２２】本明細書に示され、記載される１つ以上の実施形態に従う、格納位置における頭上式ＩＶフックを描写する。
【図２３Ａ】本明細書に示され、記載される１つ以上の実施形態に従う、ＩＶバッグＶｅｌｃｒｏ（登録商標）ラップを描写する。
【図２３Ｂ】本明細書に示され、記載される１つ以上の実施形態に従う、ＩＶバッグＶｅｌｃｒｏ（登録商標）ラップを描写する。
【図２４】本明細書に示され、記載される１つ以上の実施形態に従う、機器トラック取付具を描写する。
【図２５】本明細書に示され、記載される１つ以上の実施形態に従う、保持フックを描写する。
【図２６】本明細書に示され、記載される１つ以上の実施形態に従う、ＩＶバッグ取付具を描写する。
【図２７】本明細書に示され、記載される１つ以上の実施形態に従う、複数の標的開口領域及び非標的開口領域を有するトラックを描写する。
【図２８Ａ】本明細書に示され、記載される１つ以上の実施形態に従う、迅速解放トラックを描写する。
【図２８Ｂ】本明細書に示され、記載される１つ以上の実施形態に従う、迅速解放トラックを描写する。
【図２９】本明細書に示され、記載される１つ以上の実施形態に従う、複数の係止穴を有するトラックを描写する。
【図３０】本明細書に示され、記載される１つ以上の実施形態に従う、中心スロットを有しないトラックを描写する。
【図３１】本明細書に示され、記載される１つ以上の実施形態に従う、トラックを組み込む壁アセンブリを描写する。
【図３２】本明細書に示され、記載される１つ以上の実施形態に従う、一緒にチェーンでつながれる複数の壁アセンブリを描写する。
【図３３】本明細書に示され、記載される１つ以上の実施形態に従う、壁上での使用のためのキャビネットを描写する。
【図３４】本明細書に示され、記載される１つ以上の実施形態に従う、キャビネットの背面を描写する。
【図３５】本明細書に示され、記載される１つ以上の実施形態に従う、壁に取り付けられるキャビネットを描写する。
【図３６】本明細書に示され、記載される１つ以上の実施形態に従う、車両キャブを描写する。
【図３７】本明細書に示され、記載される１つ以上の実施形態に従う、中心軸を中心に回転する係止ピン解放部を有するウェッジ取付具を描写する。
【図３８】本明細書に示され、記載される１つ以上の実施形態に従う、万能アダプタの別の実施形態を描写する。
【図３９Ａ】本明細書に示され、記載される１つ以上の実施形態に従う、迅速解放クリップを描写する。
【図３９Ｂ】本明細書に示され、記載される１つ以上の実施形態に従う、迅速解放クリップを描写する。
【図４０】本明細書に示され、記載される１つ以上の実施形態に従う、トラッククリップの側面図である。
【図４１】本明細書に示され、記載される１つ以上の実施形態に従う、トラッククリップの等角図である。
【図４２】本明細書に示され、記載される１つ以上の実施形態に従う、トラッククリップアダプタの上面図である。
【図４３】本明細書に示され、記載される１つ以上の実施形態に従う、係合位置におけるトラッククリップの左側断面図である。
【図４４】本明細書に示され、記載される１つ以上の実施形態に従う、係脱位置におけるトラッククリップの左側断面図である。
【図４５Ａ】本明細書に示され、記載される１つ以上の実施形態に従う、トラッククリップの左等角図である。
【図４５Ｂ】本明細書に示され、記載される１つ以上の実施形態に従う、トラックに結合されるトラッククリップの等角図である。
【図４６】本明細書に示され、記載される１つ以上の実施形態に従う、壁キャビネットの等角図である。
【図４７】本明細書に示され、記載される１つ以上の実施形態に従う、壁キャビネットにおける１つ以上の仕切板を図解する。
【図４８】本明細書に示され、記載される１つ以上の実施形態に従う、仕切板アセンブリの右前部等角図である。
【図４９】本明細書に示され、記載される１つ以上の実施形態に従う、仕切板アセンブリの右底面等角図である。
【図５０】本明細書に示され、記載される１つ以上の実施形態に従う、格納位置における仕切板アセンブリを描写する。
【図５１】本明細書に示され、記載される１つ以上の実施形態に従う、係止ピンを描写する。
【図５２】本明細書に示され、記載される１つ以上の実施形態に従う、キャビネット取付具の等角図である。
【図５３】本明細書に示され、記載される１つ以上の実施形態に従う、キャビネット取付具の断面等角図である。
【図５４】本明細書に示され、記載される１つ以上の実施形態に従う、キャビネット取付具の等角断面図である。
【図５５】本明細書に示され、記載される１つ以上の実施形態に従う、壁キャビネットの断面図である。
【図５６】本明細書に示され、記載される１つ以上の実施形態に従う、トラックの別の実施形態を描写する。
【図５７】本明細書に示され、記載される１つ以上の実施形態に従う、トラックの側面図である。
【図５８】本明細書に示され、記載される１つ以上の実施形態に従う、トラックキーの等角図である。
【図５９】本明細書に示され、記載される１つ以上の実施形態に従う、トラックキーによって両端を突合せて結合される２つのトラックの等角図である。
【図６０】本明細書に示され、記載される１つ以上の実施形態に従う、両端を突合せて結合される２つのトラックの正面図である。
【図６１】本明細書に示され、記載される１つ以上の実施形態に従う、ウェッジ取付具の別の実施形態の上面図である。
【図６２】本明細書に示され、記載される１つ以上の実施形態に従う、ラップトップ取付具の正面図である。
【図６３】本明細書に示され、記載される１つ以上の実施形態に従う、ラップトップ取付具の側面図である。
【図６４】本明細書に示され、記載される１つ以上の実施形態に従う、ラップトップ取付具の後部等角図である。
【図６５】本明細書に示され、記載される１つ以上の実施形態に従う、ラップトップ取付具の前部等角図である。
【図６６】本明細書に示され、記載される１つ以上の実施形態に従う、トレイの正面図である。
【図６７】本明細書に示され、記載される１つ以上の実施形態に従う、トレイ取付具の等角図である。
【図６８】本明細書に示され、記載される１つ以上の実施形態に従う、酸素ボンベ取付具の正面図である。
【図６９】本明細書に示され、記載される１つ以上の実施形態に従う、酸素ボンベ取付具の等角図である。
【図７０】本明細書に示され、記載される１つ以上の実施形態に従う、酸素ボンベ取付具の背面図である。
【図７１】本明細書に示され、記載される１つ以上の実施形態に従う、酸素ボンベ取付具の別の実施形態の正面図である。
【図７２】本明細書に示され、記載される１つ以上の実施形態に従う、除細動器取付具の等角図である。
【図７３】本明細書に示され、記載される１つ以上の実施形態に従う、除細動器取付具の別の等角図である。
【図７４】本明細書に示され、記載される１つ以上の実施形態に従う、顎型クランプの等角図である。
【図７５】本明細書に示され、記載される１つ以上の実施形態に従う、顎型クランプの側面図である。
【図７６】本明細書に示され、記載される１つ以上の実施形態に従う、圧縮除細動器取付具の等角図である。
【図７７】本明細書に示され、記載される１つ以上の実施形態に従う、圧縮除細動器取付具の別の等角図である。
【図７８】本明細書に示され、記載される１つ以上の実施形態に従う、圧縮除細動器取付具の別の等角図である。
【図７９】本明細書に示され、記載される１つ以上の実施形態に従う、除細動器ラッチの等角図である。
【図８０】本明細書に示され、記載される１つ以上の実施形態に従う、トラックに結合されて示される除細動器取付具の側面図である。
【図８１】本明細書に示され、記載される１つ以上の実施形態に従う、除細動器補助トレイの左等角図である。
【図８２】本明細書に示され、記載される１つ以上の実施形態に従う、除細動器補助トレイの右等角図である。
【図８３】本明細書に示され、記載される１つ以上の実施形態に従う、除細動器補助トレイ及び１つ以上の補助ポーチの分解図である。
【図８４】トラックの正面図であり、背面図は図８４の鏡像である。
【図８５】その右側面図であり、左側面図は図８５の鏡像である。
【図８６】その上面図である。
【図８７】その底面図である。
【図８８】その前部左等角図である。
【図８９】その左上等角図である。
【図９０】その右上等角図である。
【図９１】開放鍵穴スロット開口の上面図である。
【発明を実施するための形態】
【０００９】
以下の本文は、本開示の多数の異なる実施形態の広範な説明を述べる。説明は、例示的なものとしてのみ解釈されるべきもので、不可能でないとしても、あらゆる可能な実施形態を記載することが実際的でないとされるので、あらゆる可能な実施形態を記載するというわけではなく、本明細書に記載されるいかなる特徴、特性、構成部品、組成、成分、製品、ステップ、または方法論も、全部または一部において、削除され、本明細書に記載されるいかなる他の特性、構成部品、組成、成分、製品、ステップ、または方法論とも、組
み合わせられ、または代用され得ることが理解されるだろう。多数の代替の実施形態は、現在の技術、または本特許の出願日後に開発された技術のいずれかを使用して、実装され得、それらはなおも特許請求の範囲の範囲内にあるとされる。
【００１０】
ここから、図１及び２を参照すると、機器取付システムまたは類似のトラックシステムにおいて使用するためのトラック１０の一実施形態が図解される。複数のトラックが使用され得る一方、同じ機器取付システムの複数トラックは、同じまたは実質的に同じ特徴を有し得るため、１つのトラック１０のみが記載される。さらにその上、トラック１０のサイズ、形状、及び／または構成は、装着のための表面、及びトラック１０に取り付けられる機器のサイズに従って変動し得る。トラック１０は、長尺の矩形形状（または任意の他の好適な形状）を有し得る下地板１５、及び下地板１５に沿って任意の長さで延伸する３つのスロットを含む。３つのスロットは、第１の外側スロット２０、中心スロット２５、及び第２の外側スロット３０であり得る。スロットは、下地板１５の長さ、または実質的に下地板１５の長さにわたるＴ字形開口として、図２において最も良く見られる。３つのスロットは、互いに実質的に平行である。各スロット２０、２５、及び３０は、狭幅領域４０に隣接している一連の開放領域３５を有し得る。いくつかの実施形態では、開放領域３５は、等距離間隔で離間配置され、かつ下地板１５の長さに沿った幅方向の列において整合されるように、対称である。例えば、第１の外側スロット２０内の２つの開放領域３５と、第２の外側スロット３０内の２つの開放領域３５とは、約１２７ミリメートル（ｍｍ）（５インチ）間隔で離間配置され得る。１２７ｍｍの離間配置は、スロット（第１の外側スロット２０または第２の外側スロット３０）内で、任意の数の開放領域３５に及び得る。柔軟な離間配置を図解するために、３つおきの開放領域は、１２７ｍｍ間隔の離間配置である。さらに別の例では、４つおきの開放領域３５は、１２７ｍｍ間隔で離間配置され得る。１２７ｍｍの離間配置は、例えば、目的にすぎず、開放領域３５のいかなる所望の離間配置も使用され得る。別の例として、スロット２０、２５、及び３０のうちの１つ以上の開放領域３５は、すべてが等距離であるというわけではない場合があり、及び／またはその他のスロットのその他の拡大した開放領域との列において整合されない場合がある。
【００１１】
トラック１０は、１つ以上の取付穴５５ａ、５５ｂ、５５ｃ、及び５５ｄを含み得る。取付穴５５ａ、５５ｂ、５５ｃ、及び５５ｄは、締付デバイスを使用して表面にトラック１０を留め付けるために使用され得る。締付デバイスとしては、ねじ、ボタン、スナップボタン、ボルト、リベット、釘、コッターピン、接着剤、Ｖｅｌｃｒｏ（フック及びループファスナ）、溶接点、エポキシ、または２つ以上の物体を一緒に機械的に接合するか、固着する任意の類似のデバイスが挙げられるが、これらに限定されるものではない。
【００１２】
図３は、取付具５０の等角背面図である。取付具５０は、多くの異なる形状及びサイズを呈し、図に示されて、以下に説明され得る。取付具５０は、１つの機器とトラックとの間のインターフェースである。取付具は、それに固着されて、それに取設された該１つの機器またはデバイスの重量を支持する任意の数の取付スタッド１４０を有し得る。より多くの取付スタッドは、取付具５０の荷重負担能力を増加させるために固着され得る。取付具５０は、取付具５０の重量を減少させるための開口を含み得る。取付具５０は、また、含み得る
【００１３】
取付具５０は、取付板１３５、裏表面１６５、表表面１９５、ならびに４つの取付スタッド１４０ａ、１４０ｂ、１４０ｃ、及び１４０ｄを有する。裏表面１６５は、表表面１９５からの取付具５０の反対側にある。取付具５０は、トラック１０もしくは固定位置板に取り外し可能に接続され、及び／または取設されるように動作可能である。各取付スタッド１４０ａ、１４０ｂ、１４０ｃ、及び１４０ｄは、それぞれのステム部分１４５ａ、１４５ｂ、１４５ｃ、及び１４５ｄ、ならびにそれぞれの拡大したヘッド部分１５０ａ、１５０ｂ、１５０ｃ、及び１５０ｄを含む。係止ピン１５５は、図１のトラック１０に、より具体的には、固定位置板上の対応する係止ピン開口、図９に見出されるような係止ピン開口９８１、またはトラック１０の中心スロット２５のうちの１つの開放領域３５に係合するための延伸係止位置に向けて外方に、（例えば、ばね、弾性材料、または他の付勢手段によって）付勢され得る。中心スロット２５だけに係合する係止ピン１５５と代替的に、係止ピン１５５は、第１の外側スロット２０、第２の外側スロット２５、または両方に係合するように、取付板１３５上に位置付けられ得る。係止ピン１５５は、図７の解放機構１９０に動作可能に接続される右係止ピン解放レバー１６０ｂまたは左係止ピン解放レバー１６０ａを個別にまたは組み合わせで使用して、退縮され得る。係止ピン解放係止ピンレバー１６０ａ及び／または１６０ｂが、他の機器またはデバイスとの障害を回避して、かつさらになおもトラック１０から取付具５０を解放することを可能にするために、任意の方向に配向され得ることが理解されるべきである。さらにその上、いくつかの実施形態では、２つ以上の解放レバーは、トラック１０から取付具５０を解放するために起動される必要があり得る。そのような実施形態は、係止ピン解放係止ピン解放レバー１６０ａまたは１６０ｂのうちの１つが偶発的に起動されるとき、取付板１３５の不必要な移動を防止することによって、追加のセキュリティを提供し得る。表表面１９５は、それに取設された任意のデバイス及び／または機器を有し得る。
【００１４】
取付具５０は、干渉嵌め、摩擦嵌め、または開放領域３５もしくは図９の係止ピン開口９８１のどちらかに係合する係止ピン１５５を使用して、トラック１０または固定位置板（図示せず）のどちらかに固着され得る。例えば、取付スタッド１４０は、固定位置板の鍵穴スロット（図示せず）の狭幅部分の底に載置されて、固定位置板に取付具５０を取設し得る。別の例では、係止ピン１５５は、取付具５０とトラック１０または固定位置板との間の干渉嵌めのために、トラック１０または固定位置板に対して、付勢力を及ぼし得る。さらに別の例では、係止ピン１５５は、上述のように、係止ピン開口９８１または開放領域３５のどちらかに係合することによって、トラック１０または固定位置板のどちらかに対して取付具５０を移動不能にするために使用され得る。トラック１０及び／または固定位置板が、取付具５０を留め付けることの非限定的な例であることが理解されるべきである。
【００１５】
図４を参照すると、トラック１０及び取付板１３５は、トラック１０に取付板１３５を係止するために使用される同相構成を図解する。図４を参照すると、取付スタッド１１５５ａ、１１５５ｂ、１１５５ｃ、及び１１５５ｄの取付板１３５の拡大したヘッド部分１５１５ａ、１５１５ｂ、１５１５ｃ、ならびに１５１５ｄが、スロット１６１０及び１６２０の拡大したヘッド開口部１８００ａ、１８００ｂ、１８００ｃ、ならびに１８００ｄ内に挿入されるとき、係止ピン１５００は、狭幅部分１８２５ａとのその整合のために、スロット１６１５に進入するのを防止される。いくつかの実施形態では、拡大したヘッド部分１５１５ａ、１５１５ｂ、１５１５ｃ、及び１５１５ｄをスロット１６１０及び１６２０内に設置することは、係止ピン１５００を、その外方に付勢され、かつ延伸した位置から退縮させる。
【００１６】
図５を参照すると、トラック１０及び取付板１３５は、異相構成を図解する。取付スタッド１１５５ａ、１１５５ｂ、１１５５ｃ、ならびに１１５５ｄのステム部分１５１０（図示せず）が、狭幅部分１８２５を通して摺動するようにサイズ決定される一方で、拡大したヘッド部分１５１５ａ、１５１５ｂ、１５１５ｃ、ならびに１５１５ｄは、スロット１６１０及び１６２０内に留まる。取付板１３５が矢印１１００の方向に下方に（または上方に）移動することは、スロット１６１０及び１６２０の、拡大したヘッド部分１５１５ａ、１５１５ｂ、１５１５ｃ、ならびに１５１５ｄを、狭幅領域１８２５ｂ、１８２５ｃ、１８２５ｄ、ならびに１８２５ｅと整合させ、かつ係止ピン１５００を、スロット１６１５の拡大したヘッド開口部１８００ｅと整合させる。係止ピン１５００の幅は、拡大したヘッド開口部１８００ｅに隣接する狭幅領域１８２５ｆ及び１８２５ｇを通して、上部通路１１１０及び下部通路１１１５より大きい場合があり、そのことは、一旦、係止ピン１５００が拡大したヘッド開口部１８００ｅを通して及びスロット１６１５内に通過すると、取付板１３５のさらなる移動を防止する。係止ピン１５００がその延伸位置に向かって付勢される実施形態では、一旦、係止ピン１５００が拡大したヘッド開口部１８００ｅと整合されると、係止ピン１５００は、自動的にその延伸位置にスナップ嵌合し得る。オペレータは、上述の係止ピン解放部１１６０／１１７５のうちのいずれかを起動することによって、スロット１６１５から係止ピン１５００を退縮させ、再度、取付板１３５を、トラック１０に沿って異なる高度に移動させ得る。
【００１７】
図４及び５が、４つの取付スタッド１１５５ａ、１１５５ｂ、１１５５ｃ、及び１１５５ｄ、ならびに１つの係止ピン１５００を使用してトラック１０に留め付けられている取付板１３５を図解する一方、いずれの他の数のスタッド及び係止ピンも代替的に利用され得ることが理解されるべきである。そのような実施形態は、取付板１３５とトラック１０との間でより多くの接触点を提供することによって、増加した荷重下で確実な接続を可能にし得る。別の実施形態では、取付板１３５は、取付板１３５の周りで均一に分配された８つのスタッド１１５５を組み込み得る。さらに別の実施形態では、いずれの他の数のスタッド１１５５も、トラック１０との解放可能な接続を可能にする取付板１２５上に配置され得る。拡大したヘッド部分１５１５が、スロット１６１０、１６１５、及び１６２０の開放領域１６２５を通して受容されて、スロット１６１０、１６１５、１６２０の狭幅領域１６３０の後で捕捉されるようにサイズ決定される一方で、ステム部分１５１０は、スロット６１０、１１５、１６２０の狭幅領域１６３０のそばを通過するようにサイズ決定される。
【００１８】
固定位置板は、図１のトラック１０の代替である。図３の取付具５０は、固定位置板に取り外し可能に結合され得る。固定位置板は、表面に留め付けるための任意の好適な取付構造または締付デバイスも含み得る。例示的な本実施形態では、固定位置板は、４つの取付穴を組み込んで、表面に固定位置板を留め付ける。固定位置板は、また、各々が拡大したヘッド開口部及び狭幅部分を有する鍵穴スロットの形態のスロットを含む。鍵穴スロットの拡大したヘッド開口部は、取付スタッドの拡大したヘッド部分を通して受容するようにサイズ決定及び配設され、狭幅部分は、ステム部分がその中で摺動することを可能にするようにサイズ決定され、拡大したヘッド部分は狭幅部分内で捕捉される。拡大したヘッド部分の捕捉は、第１の外側スロット、または中心スロット、または第２の外側スロットの、取付スタッドと狭幅部分との間の干渉嵌めによって達成され得る。係止ピンが係止ピン開口と整合されるとき、係止ピンを受容するようにサイズ決定される係止ピン開口が、提供され得る。鍵穴スロット及び係止ピン開口は、取付具の取付スタッドの鏡像として位置付けられる。
【００１９】
図６は、取付具５０の別の実施形態の表表面１９５を示す等角正面図である。取付板１３５は、上記の締付デバイスのうちのいずれかによって１つの機器（図示せず）に取付板１３５を取設させるために使用される機器取付穴１７０ａ、１７０ｂ、１７０ｃ、及び１７０ｄを有する。図６が、４つの機器取付穴１７０ａ、１７０ｂ、１７０ｃ、及び１７０ｄしか描写していないが、任意の量の機器取付穴１７０が、任意の構成においても、取り付けられることになる機器またはデバイスを収容するために使用され得る。スタッドナット１８５ａ、１８５ｂ、１８５ｃ、及び１８５ｄは、取付板１３５に取付スタッド１４０ａ、１４０ｂ、１４０ｃ、及び１４０ｄを留め付けるために使用される。スタッドナット１８５ａ、１８５ｂ、１８５ｃ、及び１８５ｄは、任意の留付デバイスであり得、ナットに限定されない。解放機構１９０は、取付板１３５に留め付けられ、係止ピン解放部１６０ａ及び／もしくは１６０ｂの一方または両方が起動されたときに係止ピン（例えば、図７に示される係止ピン１５５）を引き入れるまたは押し出すためのギヤリングを内部に有する。別の実施形態では、解放機構１９０は、ばねの付勢に逆らって係止ピン１５５を起動するためのギヤリングを含み得る。解放機構１９０がどのように働くかという一例が、図７に見出され得る。１つの機器は、取付板１３５の表表面１９５に留め付けられる。
【００２０】
図７は、解放機構１９０の内部の仕組みの一実施形態を描写する。係止ピン１５５は、延伸位置において示されて、トラック１０の係止ピン開口６０内に延伸する。トラック１０は、図２８ａに示される実施形態であり得る。解放機構１９０は、筐体７１５内で留め付けられ得る。ばね７２０は、延伸位置において係止ピン１５５を延伸するための付勢力を提供する。係止ピン１５５５は、係止ピン１５５の中心を通して配置されるリフトピン７２５を含み得る。リフトピン７２５は、係止ピン１５５が傾くまたは筐体７１５内で動かなくなることなく、係止ピン１５５を移動させるための機械的中立バランス点を提供するように配置され得る。
【００２１】
係止ピン解放部１６０は、係止ピン１５５へばね７２０の付勢力に逆らって力を及ぼして、係止ピン１５５を延伸位置から退縮位置まで移行するために使用され得る。退縮位置は、係止ピン１５５の遠位端７１０が取付板１３５の裏表面１６５と面一である所である。係止ピン解放部１６０は、係止ピン解放部１６０が係止ピン１５５に向かって移行されるとき、上向きの力をリフトピン７２５上に及ぼして、係止ピン１５５を退縮するようにする傾斜路区分７３０を有し得る。言い換えると、係止ピン解放部１６０が起動されるとき、係止ピン１５５は退縮位置に移行される。係止ピン解放部１６０は、係止ピン解放部１６０を起動後に係止位置に戻すための付勢力を提供する戻しばね７３５を含み得る。係止位置は、係止ピン解放部１６０の、取付具５０を係止ピン１５５の係止ピン開口６０への係合を介して、所定位置に係止する位置である。
【００２２】
図７は、また、第１の外側スロット２０及び第２の外側スロット３０との取付スタッド１４０（すなわち、１４０ａ及び１４０ｂ）の係合を図解する。
【００２３】
概して、図８を参照すると、取付具５０は、取付板１３５の表表面１９５に結合され、かつ以下に詳細に記載されたアダプタを含み得る  アダプタは、１つの機器の機器インターフェースと解放可能に結合する。アダプタは、使用者が、１つの機器の嵩張り及び／または重量が取付具５０の留め付けを困難にすることなく、トラックに取付具５０を留め付けることを可能にする。言い換えると、取付具５０は、１つの機器に直接取り付けられ得、トラック１０との取付具５０の係合は、該１つの機器のサイズ、形状、重量、または他の要因によって複雑化され得る。アダプタは、取付具５０に留め付けられる。以下に説明される機器インターフェースは、アダプタに１つの機器を結合するために使用される。
【００２４】
図８は、取付具５０の別の実施形態を描写する。例示的な本実施形態では、アダプタは、取付板１３５に取設された第２の取付板２２５である。本実施形態は、アダプタ（以下に説明される）または他の機器が、トラック１０に取り付けられることを可能にする。取付板１３５は、トラック１０に取付具５０を留め付けることが必要とされる任意の数の取付スタッド１４０を有し得る。取付具５０が重い荷重を留め付けることが必要とされるならば、追加の取付スタッド１４０は、取付具５０の許容荷重を増加させるために加えられ得る。本実施形態では、取付板１３５は、取付板１３５に３つの取付スタッド１４０ａ、１４０ｂ、及び１４０ｃを留め付けるために使用される３つのスタッドナット１８５ａ、１８５ｂ、ならびに１８５ｃを有する。３つの取付スタッド１４０ａ、１４０ｂ、及び１４０ｃは、図８に示されるような三角形構成にあり得る。取付スタッド１８５ｂ及び１８５ｃは横軸Ｈに沿って位置し、取付スタッド１８５ａは縦軸Ｖに沿って位置する。中間Ｍは横軸Ｈに沿った点であって、取付スタッド１８５ｂと１８５ｃとの間に等距離にある。縦軸は中点Ｍを通過する。取付スタッド１８５ｂ及び１８５ｃが、トラック１０の第２の外側スロット３０及び第１の外側スロット２０の開放区域３５にそれぞれ係合するとき、取付スタッド１８５ａは、中心スロット２５の開放区域３５に係合するように位置付けられる。解放機構１９０に関連付けられた係止ピンは、また、中心スロット２５の開放区域３５に係合し得る。スタッドナット１８５ａ、１８５ｂ、及び１８５ｃは、任意の留付デバイスであり得、ナットに限定されない。解放機構１９０は、取付板１３５に留め付けられ、係止ピン解放部１６０ａもしくは１６０ｂの一方または両方が起動されたときに係止ピン（例えば、図７に示される係止ピン１５５）を引き入れるまたは押し出すためのギヤリングを内部に有する。第２の取付板２２５は、機器取付穴１７０（図示せず）に螺合されるファスナ２３０を使用して、取付板１３５の表表面１９５に留め付けられる。ファスナ２３０の使用が、第２の取付板２２５を取付板１３５に取設させるために使用され得る一種の金物類の非限定的な例であり、本事例ではねじであることが理解されるべきである。ファスナの他の例示的な例としては、締付デバイス、及びいずれの他の締結機構が挙げられるが、これらに限定されるものではない。第２の取付板２２５は、機器、デバイス、アダプタ、及び／または他の品目を取り付けるために貫通配置される２つの鍵穴２２０を含み得る。
【００２５】
一実施形態では、第２の取付板２２５は、第１の表面２４０及び第２の表面２４５を有し得、第１の表面２４０は、第２の表面２４５の反対側にある。第２の解放機構（図示せず）は、第２の表面２４５に結合される。第２の解放機構は、動作及び構成が図７の解放機構１９０と同じである。第２の解放機構は、第２の取付板２２５を通して配置されて、延伸位置において第１の表面２４０から外方に延伸する第２の係止ピン（図示せず）を含む。第２の係止付勢ばね（図示せず）は、延伸位置において第２の係止ピン２１５を付勢し、少なくとも１つの第２の係止ピン解放部（すなわち、２１０ａと２１０ｂ）は、第２の係止ピン２１５に動作可能に結合され、起動されるとき、第２の係止ピン２１５を第２の取付板２２５に向かって退縮位置へと退縮され、解放されるとき、第２の係止付勢ばねに第２の係止ピン２１５を延伸位置において付勢させることを可能にする。
【００２６】
図９は、上述のアダプタ（すなわち、第２の取付板２２５）と結合するために使用される機器インターフェース１７２の一例を図解する。接続板９８０は、機器インターフェース１７２のための支持構造として使用され得る。機器取付開口１７０ａ、１７０ｂ、１７０ｃ、及び１７０ｄは、機器インターフェース１７２に１つの機器を留め付けるために使用され得る。４つの取付開口が示されるが、任意の数の取付開口は、機器インターフェース１７２に１つの機器を適切に留め付けるために使用され得る。接続板は、また、接続板を通して配置された係止ピン開口９８１、及び取付板の裏表面に結合された少なくとも１つの取付スタッドを含み得、少なくとも１つの取付スタッド（すなわち、１４０ａ及び１４０ｂ）の個々の１つは、接続表面９８２から外方に延伸するステム部分と、それぞれのステム部分の遠位端に配置された拡大したヘッド部分とを含む。１つ以上の取付スタッド１４０ａ及び１４０ｂは、少なくとも１つの鍵穴スロットのうちの個々の１つ（すなわち、図８の２２０）と摺動可能に結合して、第２の取付板２２５に接続板９８０を留め付ける。係止位置にあるとき、第２の係止ピン２１５は、係止ピン開口９８１に係合して、接続板９８０と第２の取付板２２５との間の相対運動を制限する。
【００２７】
機器インターフェース１７２の別の実施形態では、接続板９８０は、上述のような２つの取付スタッド１４０ａ及び１４０ｂならびに係止ピン開口９８１と、複数のつまみねじ（図示せず）とを含み得る。つまみねじは、別々の取付金物類（すなわち、ボルト、ねじ等）の必要性を伴わずに、１つの機器（図示せず）を容易に取設させるために使用され得る。つまみねじは、取り付けられることになる機器によって必要とされるようないずれの構成でもあり得、使用され得る。
【００２８】
機器インターフェース１７２の別の実施形態では、機器インターフェース１７２は、２種類のアダプタの間でインターフェースとしての機能を果たし得る。例えば、接続板９８
０は、第１の側に１つ以上の取付スタッド１４０を、第２の側に係止ピン開口９８１及びボウルアダプタ（以下に説明）を有し得る。
【００２９】
機器インターフェース１７２の別の例は、表面取付具（図示せず）である。表面取付具は、トラック１０に、直接取付具５０を介して、または上述のアダプタを介して留め付けられ得る。表面取付具は、４つのファスナ２３０を介して取付具５０に留め付けられる。表面取付具は、係止ピン解放部が起動されるとき、トラックから表面取付具を取り外すのを援助するハンドルを有する。ハンドル２６５は、また、ＩＶバッグを懸吊したり、コードを巻き付けたり、または追加の機器を取り付けるたりするために使用され得る。複数の穴が、表面取付具の本体に開けられて、ユニット全体の重量を減少させ、コード及び他のデバイスを、該複数の穴を通して経路決めすることによって、整理して、留め付け得る。非限定的な本実施形態では、複数の穴は、設置及びサイズ決定され、本体の構造を弱めることなく効果的に重量を減少することになる。表面取付具に取り付けられる１つの機器の電源コードを保持するための格納室が含まれる。
【００３０】
別の実施形態では、表面取付具が取付具に直接取り付けられるならば、表面取付具は、機器インターフェースとして機能せず、機器を留め付けるために表面取付具の本体に取り付けられる１つのアダプタを含み得る。該１つの機器は、さねはぎ型インターフェース等の機器インターフェースを組み込み得る。該１つの機器、表面取付具、及び取付具は、１つのユニットとして働く。取付具ファスナは、表面取付具に取付具を取設させる。
【００３１】
機器インターフェースのさらに別の例では、Ｓｅｑｕａｌ  Ｅｃｌｉｐｓｅ取付具は、１つのＳｅｑｕａｌ  Ｅｃｌｉｐｓｅ機器（図示せず）を取り付けるために使用され得る。重量節減穴は、重量と材料を節減するためのＳｅｑｕａｌ  Ｅｃｌｉｐｓｅ取付具全体を通して設置するである。拘束タブ及び拘束アームは、Ｓｅｑｕａｌ  Ｅｃｌｉｐｓｅ機器が移動しないようにして、かつＳｅｑｕａｌ  Ｅｃｌｉｐｓｅ取付具にＳｅｑｕａｌ  Ｅｃｌｉｐｓｅ機器を留め付けるために使用される。一対の個々の捕縛取付具は、捕縛部に結合されて、Ｓｅｑｕａｌ  Ｅｃｌｉｐｓｅ取付具内でＳｅｑｕａｌ  Ｅｃｌｉｐｓｅ機器を捕捉する。捕縛取付具のうちの１つは、捕縛取付台をＳｅｑｕａｌ  Ｅｃｌｉｐｓｅ上方に高架する捕縛マストに取設させられ得る。アクセスウィンドウを有するコードホルダーは、Ｓｅｑｕａｌ  Ｅｃｌｉｐｓｅ機器が載置されるデッキの下方に位置付けられる。Ｓｅｑｕａｌ  Ｅｃｌｉｐｓｅ機器からのコードは、カードホルダー内に格納されて、アクセスウィンドウを通してアクセス可能である。Ｓｅｑｕａｌ  Ｅｃｌｉｐｓｅファスナが示されており、Ｓｅｑｕａｌ  Ｅｃｌｉｐｓｅ取付具にＳｅｑｕａｌ  Ｅｃｌｉｐｓｅ機器を留め付けるために使用される。例えば、６つのＳｅｑｕａｌ  Ｅｃｌｉｐｓｅファスナが使用され得るが、それらは６つに限定されるものではない。
【００３２】
別の実施形態では、Ｓｅｑｕａｌ  Ｅｃｌｉｐｓｅ取付具が取付具に直接取り付けられるならば、Ｓｅｑｕａｌ  Ｅｃｌｉｐｓｅ取付具は機器インターフェースとして機能していない。該１つの機器、Ｓｅｑｕａｌ  Ｅｃｌｉｐｓｅ取付具、及び取付具は、１つのユニットとして働くことになる。取付具ファスナは、Ｓｅｑｕａｌ  Ｅｃｌｉｐｓｅ取付具に取付具を取設させる。
【００３３】
機器インターフェースのさらに別の例では、機器ホルダーは、取付具／トラックに取り付けられない携帯型機器を保持するために使用され得る。例えば、携帯型超音波装置、温度計、計算機等は、機器ホルダーによって適所に保持され得る。機器ホルダーは、２つの保持タブ、２つの側壁、及び床を有する本体を備える。床及び側壁は、機器ホルダー内で１つの機器を保持する。重量節減を促進して、コードまたは他のデバイスが本体を通過することを可能にするように、穴が床の中心にある。２つの保持タブは、１つの機器のいかなる上部側方運動も束縛する。
【００３４】
別の実施形態では、機器ホルダーが取付具に直接取り付けられるならば、機器ホルダーは機器インターフェースとして機能していない。該１つの機器、機器ホルダー、取付具は、１つのユニットとして働くことになる。さらに別の実施形態では、取付具ファスナは、取付具の必要性を伴わずに、トラックに直接機器ホルダーを取設させるために使用され得る。この技術の例は、図２２に見出され得る。引っ張りピンは、ばね及びオフセットフレームによって保持位置において付勢される。引っ張りピンは、取付スタッドの形状を模倣して、機器ホルダーがトラックに、または固定位置板に留め付けられることを可能にし得るヘッドを有する。オフセットフレームは、ヘッドがトラックに係合されるときにばねによってヘッド上に及ぼされる圧力を打ち消すための圧力表面を提供するために使用され得る。オフセットフレームは、また、圧力が機器ホルダーの本体上に直接及ぼさないように、トラックからオフセットを提供する。
【００３５】
これより取付スタッドに着眼して、別の実施形態は、単一のトラックスタッドを含み得る。単一のトラックスタッドは、構造または車両内に取り付けられる図１のトラック１０に１つの機器を取り付けるために使用される。単一のトラックスタッドは、取付ヘッド、保持カラー、及びカラーを備える。取付ヘッドは、円形であり、螺合本体がその中心から延伸する形状である。保持カラー及び摩擦カラーは、螺合本体の上へ回転される。カラーは、カラー係合表面を有する。取付ヘッドは、取付ヘッド係合表面を有する。取付ヘッドがトラック１０内に挿入されるとき、カラー係合表面及び取付ヘッド係合表面が、トラック１０に圧力を加えて、トラック１０上に移動しないように単一のトラックスタッドを留め付けることを可能にするように、カラーは、時計回り方向に回転され得る。
【００３６】
単一のトラックスタッドは、１つの機器上への単一のトラックスタッド位置の様々な構成を可能にする多目的スタッドである。それらの構成への唯一の制限は、単一のトラックスタッド位置が、トラック１０上でスロット（すなわち、２０、２５、３０）及び開放領域３５と整合しなければならないことである。単一のトラックスタッドが１つの機器に留め付けられるとき、保持カラーは、反時計回りに回転されて、１つの機器に対して圧力を加え、確実に、螺合本体が、使用中に回転して１つの機器から脱することのないようにする。単一のトラックスタッドは、トラック１０に対して圧力を加えるために必要な付勢力を提供するばねを含み得る。
【００３７】
図１０Ａ及び１０Ｂ、万能アダプタ９９０としてのアダプタの別の実施形態を描写する。受信機溝２０１５は、万能アダプタ９９０が、受信機溝２０１５に対応する図１０Ｃのさね２０２６を有する１つの機器または他の品目と滑動結合することを可能にし得る。受信機溝２０１５は、複数のガイド９９２ａ及び９９２ｂによって境界される。複数のガイド９９２ａ及び９９２ｂは、さね２０２６と噛み合い式に結合して、さねはぎ結合器を模倣する。受信機器係止具２０１０は、万能アダプタ９９０にさね２０２６を留め付ける。受信機器解放部２００５は、矢印２００４によって示されるように起動するとき、受信機器係止具２０１０を無効にし、１つの機器またはさね２０２６が、万能アダプタ９９０から摺動可能に結合解除されることを可能にする。受信機係止ピン２０２０は、関連付けられたトラック１０に、よる具体的には、トラック上の対応する係止ピン開口６０に係合するための延伸係止位置に向けて外方に、（例えば、ばね、弾性材料、または他の付勢手段によって）付勢され得る。受信機係止ピン２０２０は、受信機取付解放部２０００を使用して退縮され得る。複数の受信機スタッド２０２５は、万能アダプタ９９０の一方側から外方に延伸し得る。複数の受信機スタッド２０２５は、トラック１０、固定位置板１３０、または類似の取付表面に万能アダプタ９９０を留め付けるために、図７の取付スタッド１４０と同様に動作し得る。受信機取付解放部２０００は、下記のようにスナッバ機能を起動する。スナッバ機能は、矢印２００２に沿って起動される。
【００３８】
図１０Ｃは、機器インターフェース１７２の別の実施形態を描写する。機器取付開口１７０ａ、１７０ｂ、１７０ｃ、及び１７０ｄは、また、機器インターフェース１７２に１つの機器を留め付けるために使用され得る。さね２０２６は、図１０Ａの受信機溝２０１５と解放可能に結合するように構成される。
【００３９】
図１１は、自動調整取付システムのウェッジ取付具４７を描写する。ウェッジ取付具は、取付板１３５、裏表面１６５、表表面１９５、ならびに４つの取付スタッド１４０ａ、１４０ｂ、１４０ｃ、及び１４０ｄ（図示せず）を含む。裏表面１６５は、表表面１９５から取付具５０の反対側にある。第１のカラー５３は、裏表面に結合されて、ボウル開口５４を含む。捕捉板５６は、第１のカラー５３に結合され、ボウル開口５４を部分的に被覆する鍵穴スロット開口５７を含む。鍵穴スロット開口５７は、幅狭端部７５及び幅広端部７０を有する。ボウル開口５４及び鍵穴スロット開口５７は、降着区域５８及び捕捉区域５９を画定する。降着区域５８は、鍵穴スロット開口５７とボウル開口５４とがほぼ同じサイズである所と定義され、捕捉区域５９は、鍵穴スロット開口５７がボウル開口５４よりも小さい所と定義される。ウェッジ解放部６１は、第１のカラー５３に結合され、ウェッジ付勢ばね１０２（図１３）は、第１のカラー５３とウェッジ解放部６１との間に結合され、係止位置においてウェッジ解放部６１を付勢する。少なくとも１つの取付スタッド（すなわち、１４０ａ、１４０ｂ、１４０ｃ、及び１４０ｄ）は、表表面１９５に結合され、各取付スタッドは、裏表面１６８から外方に延伸するステム部分、及びステム部分の遠位端に配置された拡大したヘッド部分を含む。係止ピン解放部１６０は、取付具５０に結合され、図７を参照すると、取付板１３５を通して配置されて、かつ延伸位置において裏表面１６５から外方に延伸する係止ピン１５５を含む。ばね７２０は、延伸位置において係止ピン１６０を付勢し、少なくとも１つの被解放係止ピン１６０は、係止ピン１６０に動作可能に結合され、起動されるとき、係止ピン１６０を取付板１３５の中へ退縮位置へと退縮し、解放されるとき、ばね７２０に係止ピン１６０を延伸位置において付勢させることを可能にする。
【００４０】
図１１及び１２を参照すると、１つ以上の締付デバイス６２ａ、６２ｂ、６２ｃ、及び６２ｄは、取付板１３５に捕捉板５６及び第１のカラー４３を留め付けるために使用され得る。締付デバイス６２ａ、６２ｂ、６２ｃ、及び６２ｄは、また、取付板１３５に係止ピン解放部１６０及び関連部品を留め付けるために使用され得る。４つの締付デバイス６２ａ、６２ｂ、６２ｃ、及び６２ｄが示されているが、より多いまたはより少ない数の締付デバイスが使用され得ることを理解されるべきである。示されるように、取付具５０は、重量削減、ならびにトラック１０のスロット（２０、２５、及び３０）に１つ以上の取付スタッド１４０に係合することを観察する際に援助する「Ｘ」形状である。ウェッジ取付具４７は、第２の取付板２２５と関連付けられた構造の代わりに、上述のようにアダプタとして取り付けられ得る。
【００４１】
図１２は、ウェッジ取付具４７の第１のカラー５３を図解する。ウェッジ解放部６１は、係合表面６６の表面積を増加させるために使用されるブレード６４を有する。この増加面積は、ボウル開口５４内で、及び捕捉板５６の下でウェッジインターフェース７２（図１４）を保持する際に援助する。ウェッジ解放部６１は、枢動点６７を中心に回転する。図１１を再び参照すると、ウェッジ解放部６１は、係止解除位置と係止位置との間でウェッジ解放部６１を起動する際に援助するハンドル６８を有する。ボウル開口５４は、ボウル開口５４内に設置されるときにウェッジインターフェース７２を中心合わせするために使用される複数のガイド壁６３を有する。ガイド壁６３は、ボウル開口５４を囲んで、ウェッジインターフェース７２の中心合わせを促進するように任意の傾斜があり得る。
【００４２】
図１３は、断面が、トラック１０の図１の中心スロット２５の中心の真下に取られる、ウェッジ取付具４７の断面図を描写する。ウェッジインターフェース７２は、ウェッジ解
放部６１が係止位置にある状態で、ウェッジ取付具４７内に着座していることが示される。被解放ウェッジ６１は、ウェッジ付勢ばね１０２によって係止位置に付勢される。ブレード６４は、ウェッジインターフェース７２の機器板７４において係合トラフ７６に係合する。枢動点６７は、支点として使用されているピン７１と共に示される。ハンドル６８は、矢印Ｔに沿って上向き方向に起動されて、係止位置から係止解除位置までウェッジ解放部６１を起動することになる。係止解除位置において、図１２を参照すると、ブレードは、ボウル開口５４の底表面６９と面一である。図１２と図１３とを比較して、捕捉板５６は、保護カバーをウェッジ解放部６１の枢動点６７に提供する。取付穴５５ａ及び５５ｂは、トラック１０の中心スロット２５内に示され、係止ピン開口６０ａ及び６０ｂと交互配置されているのが示される。ウェッジインターフェース７２は、機器板７４内に１つ以上の締付開口７３ａ、７３ｂと、及び７３ｃを有し得る。
【００４３】
図１３及び７を参照すると、図１３は図７に垂直に見られた図である。係止ピン１５５は、図１３の退縮位置において示される一方、係止ピン１５５は、図７の延伸位置において示される。
【００４４】
図１４は、ウェッジインターフェース７２の正面図を描写する。ウェッジインターフェース７２は、機器板７４、ボウル７７、複数の捕捉ガイド７８ａ及び７８ｂ、ならびにウェッジ７９を含み得る。機器板７４は、１つの機器（図示せず）にウェッジインターフェース７２を留め付けるための取付点を提供する。機器板７４は、また、図１１に示されるような捕捉板５６の鍵穴スロット開口５７を捕捉するための２つのバリアのうちの１つを提供する。他方のバリアは、複数の捕捉ガイド７８ａ及び７８ｂである。機器板７４と複数の捕捉ガイド７８ａ及び７８ｂとの間の捕捉空間８２は、ウェッジインターフェース７２が捕捉板５６と摺動可能に結合することを許容するが、ウェッジインターフェース７２と捕捉板５６との間で多くの必要以上の動作を許容しない許容差を有する。ウェッジ７９は、機器板７４と複数の捕捉案内７８ａ及び７８ｂとの間に位置しており、それらと一緒に結合する。ウェッジ７９は、鍵穴スロット開口５７に係合し、かつウェッジ取付具４７とのウェッジインターフェース７２の回転整合において援助するように構成される導入表面８３を有する。言い換えると、導入表面８３は、確実に、導入表面８３が、鍵穴スロット開口５７の捕捉区域５９に入り得るウェッジインターフェース７２の唯一の部であるようにすることによって、ウェッジインターフェース７２及びウェッジ取付具４７を回転整合するように構成される。ウェッジ７９は、また、第１の傾斜表面８４及び第２の傾斜表面８５を含む。第１の傾斜表面８４及び第２の傾斜表面８５は、互いの反対側にあって、導入表面８３に結合される。
【００４５】
図１５は、ウェッジインターフェース７２の側面図である。係合トラフ７６は、ボウル７７上の切欠として示される。出口表面８７は、ボウル７７の傾斜の同じ角度をなぞる勾配を有する。勾配は、ボウル７７が、図１１に示されるような降着区域５８内でウェッジインターフェース７２を中心合わせすることを可能にする。
【００４６】
壁に１つの機器を留め付ける方法は、ウェッジインターフェース７２に医療デバイス（図示せず）を留め付けることを含み得る。ウェッジインターフェース７２は、機器板７４、複数の捕捉ガイド７８ａ及び７８ｂを有するボウル７７、ならびに機器板７４とボウル７７との間に結合されたウェッジ７９を含み得る。トラック１０、ミニトラック１２、または迅速取付トラック１１は、壁（図示せず）、または他の表面もしくは構造に結合され得る。トラック１０または１１へのウェッジ取付具４７の取り付けは、ウェッジ取付具４７上の１つ以上の取付スタッド１４０ａ、１４０ｂ、１４０ｃ、及び１４０ｄを１つ以上のダイヤモンド外形をした標的領域１３と整合させ、係止ピン１５５が係止ピン開口６０に係合する係止位置に、ウェッジ取付具４７を摺動可能に結合することによって行われ得る。ウェッジ取付具４７は、裏表面１６５及び表表面１９５を有する。ウェッジ取付具４７は、表表面１９５に結合される第１のカラー５３を含み、ボウル開口５４と、第１のカラー５３に結合される捕捉板５６とを含み、幅広端部７０と、ボウル開口５４を部分的に被覆する幅狭端部７５とを有する鍵穴スロット開口５７を含み、鍵穴スロット開口５７の幅広端部７０及び対応するボウル開口５４は、降着区域５８を画定し、鍵穴スロット開口５７の幅狭端部７５及び対応するボウル開口５４は、捕捉区域５９を画定する。ウェッジ解放部６１は、第１のカラー５３に結合される。ウェッジ付勢ばね１０２は、係止位置においてウェッジ解放部６１を付勢するために、第１のカラー５３とウェッジ解放部６１との間に結合される。少なくとも１つの取付スタッド１４０ａ、１４０ｂ、１４０ｃ、及び１４０ｄは、裏表面１６５に結合され、各取付スタッド１４０ａ、１４０ｂ、１４０ｃ、及び１４０ｄは、裏表面１６５から外方に延伸するステム部分と、ステム部分の遠位端に配置されている拡大したヘッド部分とを含み得る。ウェッジ取付具４７にウェッジインターフェース７２を整合させることは、鍵穴スロット開口５７の幅広端部７０を通して降着区域５８内に、そしてボウル開口５４内にボウル７７を押し入れ、ボウル開口５４の複数のガイド壁６３がボウル７７の複数の勾配を付けられた側に係合することを可能にすることによって、それが、ウェッジインターフェース７２にウェッジ取付具４７と整合するように強制することによって達成される。ウェッジ取付具４７と機器板７４を結合することは、捕捉板５６が機器板７４と複数の捕捉ガイド７８との間で留め付けられるまで、鍵穴スロット開口５７の幅狭端部７５において捕捉区域５９内に機器板７４のウェッジ７９を摺動可能に移動することによって達成される。ウェッジインターフェース７２をウェッジ取付具４７内に係止することは、ウェッジ付勢ばね１０２が、係止位置においてウェッジ解放部６１を付勢することによって達成される。ウェッジ取付具４７からウェッジインターフェース７２をロック解除することは、係止解除位置にウェッジ解放部６１を起動して、捕捉板５６が、鍵穴スロット開口５７の幅広端部７０内に入るまで、鍵穴スロット開口５７の幅狭端部７５からウェッジインターフェース７２のウェッジ７９を摺動可能に移動することによって、ウェッジ取付具４７からウェッジインターフェース７２を結合解除することによって達成される。ウェッジ取付具４７からウェッジインターフェース７２延いては１つの機器を取り外すことは、ボウル開口５４からボウル７７を引っ張ることによって達成される。ボウル７７及び降着区域５８の整合の目視が必要でないことに留意されたい。ボウル７７の勾配を付けられた表面または側は、ウェッジインターフェース７２がそれ自身及び１つの機器を降着区域５８において中心合わせすることを可能にする。捕捉板５６は、また、降着区域５８内にボウル７７をさらに案内する鍵穴スロット開口５７を囲む一組の勾配を付けられた表面を有する。
【００４７】
図１６ａは、ウェッジインターフェース７２の等角図を描写する。１つ以上の締付開口７３ａ、７３ｂ、及び７３ｃは、上述の締付デバイスが１つの機器にウェッジインターフェース７２を留め付けることを可能にするように、それらの締付開口に対するテーパまたはレッジ８９を有し得る。
【００４８】
図１６ｂは、ボウル７７が取り外されたウェッジインターフェース７２の底面図を描写する。第１の傾斜表面８４及び第２の傾斜表面８５は、縦軸Ｖに沿って移動するにつれて、ウェッジ７９の厚さを増加または減少させる際に提供する。ウェッジ７９の形状は、図１１に示されるように、捕捉区域５９内の鍵穴スロット開口５７の形状とほぼ一致し得る。したがって、ウェッジ７９が捕捉区域５９内に挿入されるとき、第１の傾斜表面８４または第２の傾斜表面８５のどちらかは、最初に鍵穴スロット開口５７に接触し、ウェッジインターフェース７２を回転させて鍵穴スロット開口５７の幅狭端部７５とウェッジ７９を整合させる運動量を提供することになる。ウェッジインターフェース７２が着座し、ウェッジ解放部６１が係止位置にあるとき、第１の傾斜表面８４及び第２の傾斜表面８５は、鍵穴スロット開口５７の幅狭端部７５の両側と接触することになる。接点面８１は、ボウル開口５４の底６９と接触することになる。出口表面８７は、導入表面８３より幅広であり、鍵穴スロット開口５７の幅狭端部７５より幅広である。
【００４９】
図１７及び１８は、折畳式トレイ３５５の等角図である。折畳式トレイ３５５は、取付板１３５に平行な格納位置と取付板１３５に垂直な使用位置との間で移動され得るトレイ３４０を組み込む。トレイ３４０は、例えば、ラップトップコンピュータ等の品目もしくは機器を保持、留め付け、及び／または支持し得る。使用位置にあるとき、トレイ３４０は、使用者が機器を動作し得るように、機器を位置付け得る。格納位置にあるとき、トレイ３４０は、機器とそれ自身が取付板１３５と平行して配向されて、したがってよりコンパクトな位置にあるように位置付けられる。
【００５０】
図１７及び１８は、使用位置における折畳式トレイ３５５を描写する。２組の上部アーム３０５と下部アーム３１０は、一組のヒンジ３００を介して上部サポート３４５及び下部サポート３５０に接続される。上部アーム３０５及び下部アーム３１０は、一組のヒンジ３００を介してトレイ３４０に接続されて、格納位置と使用位置との両方においてトレイ３４０を支持するために使用される。左右のスロット３２５は、トレイ３４０の上部分３６０に固着されて、１つの機器３７０を留め付けるための一対のカム３３０及び一対の滑り止め付きパッド３２０と連動して使用される。一対の滑り止め付きパッド３２０は、一対の滑り止め付きパッド３２０とスロット３２５との間で１つの機器３７０を摩擦嵌めを通して適所に保つために使用され得る。一対の滑り止め付きパッド３２０は、また、折畳式トレイ３５５を通して伝送される振動の吸収を可能にする動的弾性率を有する。一組の係止タブ３１５は、上部アーム３０５及び下部アーム３１０が、格納位置から使用位置まで、及びその逆に移動するのを防止するために使用される。ガイド要素３３５は、トレイ３４０の下部分３６５に取設させられる。非限定的な本実施形態では、ガイド要素３３５は、コードまたは他の品目の挿入を可能にする開放スロット３３６を有する楕円形の部片である。上部サポート３４５及び下部サポート３５０は、４つのファスナ２３０を介して取付具５０の取付板１３５に留め付けられる。非限定的な本実施形態では、ファスナ２３０は、取付板１３５に折畳式トレイ３５５を留め付けるために使用されるボルトである。上部サポート３４５及び下部サポート３５０は、異なる調節穴３０８にヒンジ３００を移動することによって、トレイ３４０の取付板１３５に対して垂直とは異なる角度を可能にするように丁重に調整され得る。
【００５１】
取付板１３５は、図３に示されるような取付スタッド及び係止ピン１５５だけでなく様々な機器インターフェースを取設させ得る。図１８では、ウェッジインターフェース７２は、図１１に示されるようなウェッジ取付具４７と解放可能に結合するために取付板１３５と結合されていることが示される。
【００５２】
図１９及び２０は、回り継手取付具４２０の等角図である。回り継手取付具４２０は、回り継手本体４０５及び回り継手フレーム４１０を備える。回り継手フレーム４１０は、取付具５０の取付板１３５に取設させられる。回り継手フレーム４１０は、縦軸に沿って軸方向に整合される２つのヒンジである上部ヒンジ３８０及び下部ヒンジ３８５を通して、回り継手本体４０５に接続する。上部ヒンジ３８０及び下部ヒンジ３８５は、回り継手本体４０５が、回り継手フレーム４１０内で縦軸周りに３６０度まで回転することを可能にし得る。回り継手本体４０５は、係止具本体４１５を介して回転から係止され得る。係止具本体４１５は摩擦係止具であり、係止ハンドル３９０が回転されるとき、下部ヒンジ３８５に摩擦を加える螺合ロッド（図示せず）を備える。摩擦が下部ヒンジ３８５に加えられるとき、回り継手本体４０５は、回り継手フレーム４１０に対してある角度位置において適所に保持され、回り継手本体４０５が縦軸の周りのいかなる角度位置でも係止されることを可能にする。４つの回り継手取付穴４００は、回り継手本体４０５内に位置する。回り継手取付穴４００は、本明細書に述べたもの等のいかなる締付デバイス４３０を介しても、回り継手本体４０５に１つの機器４２５を留め付けるために使用される。
【００５３】
図２１は、使用位置における頭上式ＩＶフック６５０を描写する。頭上式ＩＶフック６５０は、２つのＩＶフック６５５を有する。それらは、係止ヒンジ６６５を介して中心シャフト６７０に接続される。係止ヒンジは、図２１Ｂに示されるように、２つのＩＶフック６５５を使用位置か格納位置のどちらかに係止することができる。係止ヒンジは、ヒンジの回転要素において窪みに付勢される玉軸受によって、またはヒンジ中の締り嵌めによって係止して、頭上式ＩＶフック６５０の現在位置を維持する摩擦を生じる。解放ばね６６０、カラー６１５、及び中心シャフト６７０は、縦軸Ｖに沿って同軸状に整合させられる。解放ばね６６０は、係止ヒンジ６６５とカラー６１５との間で付勢される。中心シャフト６７０は、取付ヘッド６２０に接続される。頭上式ＩＶフック６５０は、トラック（例えば、図１のトラック１０）に対して押圧され、トラック上の取付穴（例えば、図１の取付穴５５）のうちの１つと整合させられる。頭上式ＩＶフック６５０がトラックに対して押圧されるにつれて、カラー６１５は解放ばね６００を圧縮し、取付ヘッド６２０は取付穴に突出し、頭上式ＩＶフック６５０は狭幅部（図示せず）の中へ摺動されて下ろされ、解放される。カラー係合表面６２５及び取付ヘッド係合表面６３０は、トラックを締め付け、頭上式ＩＶフック６５０を適所に留め付ける。
【００５４】
図２２は、格納位置における頭上式ＩＶフック６５０を描写し、例えば、ＩＶフック６５５は、取付板（図示せず）と平行な位置に回転される。係止ヒンジ６６５は、使用位置（図２１）に移動されるまで、格納位置を維持する。別の実施形態では、ＩＶフック６５５は、ユーティリティフック、捕縛リング、クリート、アイレット、またはフック及びループファスナであり得る。
【００５５】
図２３Ａ及び２３Ｂは、ベルト取付具６８０及びベルト６８５を有するＩＶバッグＶｅｌｃｒｏ（登録商標）ラップ６７５を描写する。ベルト６８５は、ベルト取付具６８０にベルト６８５を取設するために、２つのループ穴８００を通して螺合される。ベルト取付具６８０は、ベルト取付具６８０を通して配置されるシャフト開口、少なくとも１つのベルトループ開口６８３、及び互いに実質的に平行な複数の圧力アーム６８６を含み得る。第２の取付ヘッド６２０は、第２のシャフト６８２の遠位端に結合される。タブヘッド６２１は第２のシャフト６８２の近端部において結合され、第２のシャフト６８２はシャフト開口を通って位置している。第２の付勢ばね６２２は、タブヘッド６２１とベルト取付具６８０との間に結合され、第２の付勢ばね６２２は、ベルト取付具６８０に対して第２の取付ヘッド６２０を付勢する。ベルト６８５は、少なくとも１つのベルトループ開口６８３を通して結合されて、ＩＶバッグ（図示せず）を留め付けるために使用され、第２の付勢ばね６２２は、ベルト取付具６８０に向かってタブヘッド６２１を起動することによって圧縮され、該ベルト取付具６８０は、複数の圧力アーム６８６を過ぎて第２の取付ヘッド６２０を外へ延伸させ、ＩＶバッグＶｅｌｃｒｏ（登録商標）ラップが、トラック１０上でスロット（２０、２５、及び／または３０）を摺動可能に係合することを可能にすることになる。
【００５６】
ベルト６８５は、皮革、ロープ（天然または合成）、ポリマー等のプラスチック製品、ビニルまたはゴム、及び薄いアルミニウム帯等の金属製品を含む任意の種類の可撓性材料から作られ得る。ベルト６８５はそれ自体に巻きつけられて、留付条片６９０を使用して留め付けられる。一実施形態では、留付条片６９０はフック及びループ（例えば、Ｖｅｌｃｒｏ（登録商標））であり得、ボタン、スナップ等の他の種類のファスナでもあり得る。ＩＶバッグＶｅｌｃｒｏ（登録商標）ラップ６７５は、図２１及び２２中に見出される頭上式ＩＶフックと連動して、または連動せずに使用される。ＩＶバッグＶｅｌｃｒｏ（登録商標）ラップは、ＩＶバッグ（図示せず）をゆるく懸吊しないように留め付けるために使用される。頭上式ＩＶフック６５０は、図１からのトラック１０、図３８のミニトラック１２、または図２８Ａからの迅速取付トラック１１と、ＩＶバッグＶｅｌｃｒｏ（登録商標）ラップ６７５と、頭上式ＩＶフック６５０とを含むキットの一部であり得る。
【００５７】
図２４は、トラック側１７０１及び機器側１７０２を有するレール１７２０と、レール１７２０に結合された複数の取付スタッド１４０ａ及び１４０ｂとを含む機器トラック取付具１７００を描写する。複数の取付スタッド１４０ａ及び１４０ｂのうちの個々の１つは、トラック側１７０１から外向きに延伸するステム部分、及びそれぞれのステム部分の遠位端に配置された拡大したヘッド部分を含み得る。１つ以上の螺合ロッド１７１０ａ及び１７１０ｂは、機器側１７０２に結合され、係止ピン１５５は、レール１７２０を通して配置されて、延伸位置においてトラック側１７０１から外向きに延伸する。係止付勢ばね（図示せず）は、延伸位置において係止ピン１５５を付勢するために使用される。制御ノブ１７１５は、機器側１７０２に結合されて、係止ピン１５５に動作可能に結合され、起動されるとき、レール１７２０の中へ係止ピン１５５を退縮し、解放されるとき、係止付勢ばねに延伸位置において係止ピン１５５を付勢させることを可能にする。
【００５８】
機器トラック取付具１７００は、様々な機器上で使用され、それらを機器取付システムに留め付け得る万能取付具である。機器トラック取付具１７００は、図１のトラック１０、図３８のミニトラック１２、または図２８Ａの迅速取付トラック１１の、第１の外側スロット２０及び第２の外側スロット３０に係合するようにレール１７２０上に位置付けられる２つの取付スタッド１４０ａ及び１４０ｂを有する。代替的に、各取付スタッド１４０ａ及び１４０ｂは、均等に離間配置され、機器トラック取付具１７００が、トラック１０、ミニトラック１２、または迅速取付トラック１１上に垂直にまたは水平のどちらかに留め付けられることを可能にする。一実施形態では、スタッド１７１０は螺合される。取設点１７２５は、１つの機器（図示せず）の取設が締付デバイスによって達成されるレール１７２０の区域である。本実施形態では、スタッド１７１０は、１つの機器がナットによって単一のトラック取付具７００に留め付けられることを可能にする螺合スタッドである。
【００５９】
図２５は、保持フック７６０及び機器トラック取付具１７００を描写する。支持板７５０は、ねじ７５５ａと７５５ｂによって機器トラック取付具１７００取設される。保持フック７６０、フック７７０、及び受け座７７５では、ＩＶバッグ（図示せず）、またはバッグの取っ手もしくはロープ等の紐状の材料の重量を捕捉及び支持する。保持クリップ７６５は、確実にＩＶバッグが保持フック７６０から滑って外れないようにするために使用され、フック７７０の基部７７１においてヒンジ式に結合される。保持フック７６０は、保持フック７６０の上で滑って、保持クリップ７６５の下で、かつ受け座７７５内に嵌合するのに適切なサイズのループを有する任意の品目を懸吊することができる。
【００６０】
別の実施形態では、二重取付板（図示せず）は、機器トラック取付具１７００の螺合ロッド１７１０ａ及び１７１０ｂに結合され得る。二重取付板は、２つ以上の保持フック７６０を並列に位置付ける板材料であり得る。これは、２つ以上の品目が懸吊されるか、または代替的に、１つの重い品目が、両方のフックを通して紐状の材料を螺合することによって懸吊されることを可能にするだろう。
【００６１】
さらに別の実施形態では、タスク光またはランプアセンブリは、機器トラック取付具１７００に留め付けられ、閉鎖された区域中で照明を提供するために使用され得る。タスク光は、クランプと、タスク光またはランプアセンブリの可撓性首部に挿入されるポスト（図示せず）とを介して、ランプアセンブリ取付具に取設される。ランプアセンブリ取付具は、螺合ロッド１７１０ａ及び１７１０ｂ上の２つのナットの使用を介して、機器トラック取付具に取設される。タスク光の実施形態は、光に限定されない。可撓性首部は、光の他にも、例えば、拡大鏡、懐中電灯、鏡、反射器、または別の器具を保持するためのクップもしくは爪等の他の器具の取設を可能にし得る。
【００６２】
図２６は、保持フック７６０をマスト８０５の最上部に有するＩＶバッグ取付具７８０を描写する。マスト８０５は、図２３からのＩＶバッグＶｅｌｃｒｏ（登録商標）ラップ６７５のベルト取付具６８０に取設され得る。マストは、単一のトラック取付具７００に取設され得る。ＩＶバッグ（図示せず）は保持フック７６０から懸吊されて、２つのループ穴８００を通して螺合されるベルト６８５と留付条片６９０とを介して、マスト８０５に対して留め付けられる。
【００６３】
図２７は、複数の標的開放領域９００及び非標的開放領域９０２を有するトラック１０を描写する。第１の外側スロット２０と第２の外側スロット３０は、図３の取付スタッド１４０または類似のスタッドを、例えば、図２１の取付ヘッド６２０として収容する標的開放領域９００を含み得る。いくつかの実施形態では、標的開放領域９００は、１つの機器を取設させた取付具５０が、図１の開放領域３５との取付スタッド１４０の視線整合の必要性を伴わずに、トラック１０と摺動可能に結合することを可能にする。標的開放領域９００は、直径及び／またはサイズが非標的開放領域９０２より大きく、それは、トラック１０に対する取付具５０の配向におけるより大きな可変性を可能にし、なおもトラック１０と取付具５０との間で適切な係合を可能にする。代替の実施形態では（図示せず）、トラック１０は非標的開放領域９０２を含まない場合がある。それは、スロット２０及び３０に沿ったある特定の数の標的開放領域９００、ならびにある特定の数の標的開放領域９００の間に走っている狭幅領域のみを含み得る。本実施形態のある例は、図２８Ａ及び２８Ｂに見出される。
【００６４】
図２８Ａ及び２８Ｂは、迅速取付トラック１１を描写する。迅速取付トラック１１は、中心スロット２５、第１の外側スロット２０、及び第２の外側スロット３０を有する下地板１５を含む。第１の外側スロット２０及び第２の外側スロット３０は、図３のｔ形のスタッドまたは取付スタッド１４０の丸いヘッドが、下地板１５に対してある角度で第１の外側スロット２０及び第２の外側スロット３０に係合することを可能にする複数のダイヤモンド外形をした標的領域１３を備える。中心スロット２５は、下地板１５において複数の係止ピン開口６０（例えば、６０ａ及び６０ｂ）を有する。係止ピン開口６０は、複数のダイヤモンド外形をした標的領域１３と水平整合である。複数のダイヤモンド外形をした標的領域１３は、図３の取付具５０を図１のトラック１０の開放領域３５に確認しながら、整合させることができないことから起こり得るある程度の非整合があっても、取付具５０を迅速取付トラック１１に取り付けられることを可能にする。取付具５０は、迅速取付トラック１１に対して僅かに回転され得、なおも取付スタッド１４０は、複数のダイヤモンド外形をした標的領域１３に係合することになる。取付スタッド１４０が複数のダイヤモンド外形をした標的領域１３に挿入されるにつれて、取付具５０は迅速取付トラック１１と平行であるように整合することになる。言い換えると、複数のダイヤモンド外形をした標的領域１３は、取付具５０においていくつかの回転を可能にして、なおも第１の外側スロット２０及び第２の外側スロット３０の成功裏の係合を可能にする。
【００６５】
さらにその上、複数のダイヤモンド外形をした標的領域１３は、取付具５０が、下地板１５に対してある角度で迅速取付トラック１１に挿入されることを可能にする。言い換えると、使用者は、取付スタッド１４０ｃ及び１４０ｄが、第２の外側スロット３０に係合するように、取付具５０を振動または整合させる前に、最初に取付スタッド１４０ａ及び１４０ｂを第１の外側スロット２０に挿入し得る。この機能性は、使用者が、第２の使用者の手助けを必要とする重いまたは嵩張る１つの機器を取り付けることを可能にし、下地板１５に関して取付具５０のいくらかの非整合（回転と角度との両方）を可能にする。下地板１５は、また、締付デバイス３９３９（図８０）が、表面、壁、または構造に迅速取付トラック１１を留め付けることを可能にする複数の取付位置１７を有し得る。
【００６６】
図２９は、複数の係止穴９０５を有するトラック１０を描写する。図１に示される中心
スロット２５は、複数の係止穴９０５と置き換えられて、図３の係止ピン１５５が、個々の係止穴９０５を摺動可能に結合して、トラック１０に取付具５０を留め付けることを可能にし得る。いくつかの実施形態では、第１の外側スロット２０及び第２の外側スロット３０は、図２７に示されるような複数の標的開放領域９００を有し得るが、それらは必要ではなく、また、図２８Ａ及び２８Ｂに示されるような複数のダイヤモンド外形をした標的領域１３である必要もない。
【００６７】
図３０は、図１に示されるような中心スロット２５を有しないトラック１０を描写する。第１の外側スロット２０及び第２の外側スロット３０は、複数の標的領域９００を有し得るが、それらは、図２７に示されるようである必要もなければ、図２８Ａ及び２８Ｂに示されるような複数のダイヤモンド外形をした標的領域１３である必要もない。平坦な表面９１０は、図７の係止ピン１５５が、均一な表面に付勢力を加えて、取付スタッド１４０と、第１の外側スロット２０及び第２の外側スロット３０の狭幅領域４０との間の干渉嵌めを創出することを可能にする。付勢力は、トラック１０から取付具５０を分離させる力を及ぼす。スロット（２０、２５、及び３０）に対して押圧している取付スタッド１４０の干渉嵌めまたは摩擦嵌めは、２つの部分が一緒に押されたあと、摩擦によって該２つの部分を締め付ける締付デバイスである。さらにその上、以下に図３７に概説されるスナッバ機能は、また、図３０のトラック１０に取付具５０を留め付けるための必要な力を提供し得る。
【００６８】
図３１は、図１のトラック１０、図３８のミニトラック１２、または図２８の迅速取付トラック１１を組み込む壁アセンブリ２０５０を描写する。トラック１０は、複数のタブ２０７０ａ及び２０７０ｂを含み得る。複数のタブ２０７０ａ及び２０７０ｂは、トラック１０の長さを走っていることが示されるが、複数のタブ２０７０ａ及び２０７０ｂがトラック１０の短い寸法も走り得ることが理解されるべきである。複数のタブ２０７０ａ及び２０７０ｂは、壁被覆材２０５５を支持して、壁被覆材２０５５を下地板１５の面表面２０７８と面一に保ち得る。壁装材２０５５は、いずれの材料でも作られ得、上述の溶接、接着剤、または締付デバイスを通して複数のタブ２０７０ａ及び２０７０ｂに締め付けられ得る。外側壁装材２０６０は、また、いずれの材料でも作られ得、上述の溶接、接着剤、または締付デバイスを通して支持構造２０８０に締め付けられ得る。支持構造２０８０は、下地板１５に結合され、下地板１５、壁被覆材２０５５、及び外側壁被覆材２０６０を支持するための強度及び剛性を提供する。支持構造２０８０は、また、より大きな壁アセンブリ２０５０のフレームの一部であり得る。第１の外側チャネル２０７１、中心チャネル２０７２、及び第２の外側チャネル２０７３は、支持構造２０８０の一部であり得、壁アセンブリ２０５０によって提供され得る電気配線、配管、及び他のサービスに導管を提供し得る。
【００６９】
下地板１５は、面表面２０７８及び裏表面を有し、面表面は、裏表面の反対側にある。下地板１５は、複数の開放領域及び該複数の開放領域を接続している複数の狭幅領域を有する第１の外側スロット２０、複数の開放領域及び該複数の開放領域を接続している複数の狭幅領域を有する第２の外側スロット３０、複数の係止ピン開口が下地板内にある中心スロット２５を含み、係止ピン開口は、第１の外側スロット２０及び第２の外側スロット２５の複数の開放領域と水平整合している。下地板１５は、また、下地板１５の面表面２０７８と面一な第１の壁被覆材２０５５を支持する下地板１５の第１の外縁に沿った第１のトリムタブ２０７０ａ、及び下地板１５の面表面２０７８と面一な図３２の第２の壁被覆材２０５５ｂを支持する下地板１５の第２の外縁に沿った第２のトリムタブ２０７０ｂを含む。支持構造２０８０は、下地板１５の裏表面に結合され、壁アセンブリ２０５０のための支持を提供し、壁アセンブリ２０５０は、第１の壁被覆材２０５５、第２の壁被覆材、及び外側壁被覆材２０６０を支持するための構造を含む。
【００７０】
図３２は、壁２０４０を描写する。トラック１０ａ、１０ｂ、１０ｃ、１０ｄ、及び１０ｅは、壁２０４０に取り付けられることになる１つの機器の種類及び数に依存する任意の所望の間隔で、壁２０４０に沿って離間配置され得る。壁は、一緒に繋げられた複数の壁アセンブリ２０５０を備える。壁被覆材２０５５ａ、２０５５ｂ、２０５５ｃ、２０５５ｄ、２０５５ｅ、及び２０４４ｆは、一緒にトラック１０ａ、１０ｂ、１０ｃ、１０ｄ、及び１０ｅを結合した。壁装材２０５５ａ、２０５５ｂ、２０５５ｃ、２０５５ｄ、２０５５ｅ、及び２０４４ｆがトラック１０ａ、１０ｂ、１０ｃ、１０ｄ、及び１０ｅのための構造用支持材を提供し得、それらが、構造用支持材２０８０ａ、２０８０ｂ、２０８０ｃ、２０８０ｄ、及び２０８０ｅとして、壁２０４０のための基礎を提供することが必要とされないことに留意されたい。
【００７１】
図３３は、図３２の壁２０４０上での使用のためのキャビネット２１００を描写する。キャビネット２１００は、壁２０４０に沿って品目を格納するために使用され得る。
【００７２】
図３４は、キャビネット２１００の背面２１０５を描写する。複数の鍵穴２１０８ａ、２１０８ｂ、２１０８ｃ、及び２１０８ｄは、図９に関して上述のように単一のトラックスタッドに係合するために使用され得る。単一のトラックスタッドは、それらが、キャビネット２１００の背面２１０５上の複数の鍵穴２１０８ａ、２１０８ｂ、２１０８ｃ、及び２１０８ｄに係合する位置である限り、図３２のトラック１０ａ、１０ｂ、１０ｃ、１０ｄ、及び１０ｅに沿ってどこにでも位置付けられ得る。
【００７３】
上述のように、図３の取付具５０、図８のアダプタ、または図１１のウェッジ取付具４７は、図３６のキャビネット２１００またはケース２１１０をトラック１０に留め付けるために使用され得る。
【００７４】
図３５は、図３２の壁２０４０に取り付けられるキャビネット２１００を描写する。本実施形態では、トラック１０ａと１０ｂは、離間配置されて、単一のトラックスタッド等が、図３４に示されるようにキャビネット２１００の背面２１０５上で複数の鍵穴２１０８ａ、２１０８ｂ、２１０８ｃ、及び２１０８ｄに係合することを可能にする。壁被覆材２０５５ａ、２０５５ｂ、及び２０５５ｃは、壁２０４０及びキャビネット２１００のための面一な表面を提供する。
【００７５】
図３６は、車両キャブ２２００を描写する。本実施形態では、支持構造２０８０は車両キャブ２２００のためのフレームワークを提供する。横部材２０８１は、支持構造２０８０との間で加えられ、車両キャブ２２００に補強及び剛性を加える。支持構造は、図３１に示されるようにトラック１０に結合され、壁被覆材２０５５は、各トラック１０と間の距離に及び、車両キャブ２２００のための面一な内部表面を提供する。キャビネット２１００、ならびにケース２１１０が、トラック１０に取設されていることが示される。ケースは、また、その背面上で複数の鍵穴も含み、キャビネット２１００と同様の様式でトラックに取り付け得る。
【００７６】
車両キャブ２２００であるが、任意の壁のあるエンクロージャが図３１の壁アセンブリ２０５０を組み込み得ることが理解されるべきである。さらにその上、トラック１０は、車両キャブ２２００において垂直に示されるが、それらは、また、水平に走り、支持構造２０８０の代わりに横部材２０８１を使用し得る。外側壁被覆材２０６０は、車両キャブ２２００を被覆するために使用され得る。
【００７７】
図３、１０Ｂ、１１、及び３７を参照すると、一実施形態では、係止ピン解放部１６０ａ及び１６０ｂならびにウェッジ解放部６１は、スナッバ機能を含み得る。スナッバ機能は、係止ピン解放部１６０ａ及び１６０ｂならびにウェッジ解放部６１が、取付具５０と
トラック１０との間でいずれかのあそびを埋めることを可能にする。取付具５０のトラックへの取り付け及び取付具５０からの取り付け解除の容易さのために、取付スタッド１４０とスロット（２０、２５、及び３０）との間の許容差は、緩く、取付スタッド１４０とスロット（２０、２５、及び３０）との間で移動を可能にし得る。したがって、取付具５０は、取り付けられるとき、トラック１０、ミニトラック１２、または迅速取付トラック１１上で、音を立てるか、または振動し得る。スナッバ機能は、受信機係止ピン２０２０（図１０Ｂ）を使用して、取付具５０とトラック１０との間で圧力を加えるか、あるいは、それは、取付板１３５の中へ取付スタッド１４０を退縮して、取付具５０とトラック１０との間の緩い許容差を埋める。
【００７８】
ここから、図３７を参照すると、ウェッジ取付具４７は、係止ピン解放部１６０ａ及び１６０ｂ（１６０）を用いて示され、単一ユニットであり、中心軸を中心に回転する。係止ピン解放部１６０は、係止位置１３３及び係止解除位置１３１を有する。係止解除位置１３１において、係止ピン解放部１６０は、上述のようにトラック１０から取付具５０を解放するように、トラック１０に向かって、またはそれから離れて起動する自由がある。係止位置１３３において、止め具１２８は、係止ピン解放部１６０の向かう及び離れる移動を防止する。係止ピン解放部１６０が係止解除位置１３１から係止位置１３３まで起動（回転）されるにつれて、カム（図示せず）は、トラック１０に対してプランジャー（図示せず）を押圧して、取付具５０とトラック１０との間の緩い許容差を埋めるか、あるいは、それは、上述のようにスナッバ機能において取付板１３５の中へ取付スタッドを退縮する。
【００７９】
さらにその上、別の実施形態では、ブレード６４は、図１２のブレード６４とは異なる形状を有し、係合表面６６も同様である。図３７のブレード６４及び係合表面６６のより幅狭形状は、ウェッジ解放部６１が、壊れることなくより大きな衝撃荷重を吸収し、より幅狭のウェッジインターフェース（図示せず）に適合することを可能にする。
【００８０】
図３８は、図１０Ａ及び１０Ｂの万能アダプタ９９０の別の実施形態を描写する。複数の鍵穴スロット開口２０１２ａ、２０１２ｂ、及び２０１２ｃが、機器取付具１７２（図示せず）を受容することが示され、機器取付具１７２の異なる実施形態は以上に記載されている。受信機器解放部２００５は、複数の鍵穴スロット開口２０１２ａ、２０１２ｂ、及び２０１２ｃのうちの各空洞内の一組の解放ピン（図示せず）を通して、万能アダプタ９９０から機器取付具１７２を解放する。パドルラッチ２０１１は、プルアウトピン２０１３を起動して、ミニトラック１２から万能アダプタ９９０を解放する。プルアウトピン２０１３は、図３の係止ピン１５５と同様に動作する。
【００８１】
ミニトラック１２は、図１のトラック１０の別の実施形態である。ミニトラック１２は、より小さい荷重が、表面、壁、または構造に取り付けられることを可能にする。
【００８２】
図３９Ａ及び３９Ｂは、迅速解放クリップ３０００を描写する。迅速解放クリップ３０００は、アイレット開口３００３を有するアイレット構造３００５を有する。アイレット開口３００３は、紐状の材料を迅速解放クリップ３０００から懸吊することを可能にし、ラッチ、クリップ、ロープ、または類似の材料、カラビナ等を迅速解放クリップ３０００と結合することを可能にし得る。足部構造３００８は、図３の２つの取付スタッド１４０の踏み跡を、図１のトラック１０の開放領域３５に隣接する際に設置されるならば、模倣する。クリップピン３０２５は、足部構造３００８に向けて付勢されて、係止ピン１５５を模倣する。ハンドル３０２０は、クリップピン３０２５を足部構造３００８から引き離して、トラック１０から迅速解放クリップ３０００を解放することを可能にする。複数のインデント３０１５ａ及び３０１５ｂは、クリップピン３０２５が、２つの狭幅領域４０の間で迅速解放クリップ３０００を係止することを可能にする。言い換えると、迅速解放クリップ３０００が異相位置（図５を参照のこと）にあるとき、隣接している狭幅領域４０は、複数の窪み３０１５ａ及び３０１５ｂを占める。クリップピン３０２５は、クリップピン３０２５ａ及び３０２５ｂの両側、ならびにハンドル３０２０ａ及び３０２０ｂの両側を含み、それらはすべて１つの部片として一緒に移動する。
【００８３】
迅速解放クリップ３０００が同相構成においてトラック１０（図１）内に挿入されるとき、クリップピン３０２５は、トラック１０の面表面に接触するが、開放領域３５を占めない。迅速解放クリップ３０００は異相構成に摺動され、クリップピン３０２５は付勢されて、開放領域３５に延伸され、それによってトラック１０に迅速解放クリップ３０００を係止する。
【００８４】
本願を通して使用されるとき、取付スタッド１４０は、さね１８０と置き換えられて、異なる取付構成がすべての実施形態の間で使用されることを可能にし得ることが理解されるべきである。トラック１０（図１）及びモジュール式の板１０５のサイズならびに配向は、用途に依存して変動し得る。取付スタッド１４０またはトラックスロット２０、２５、３０の数は、また、用途及び荷重の考慮事項に依存して変動し得る。さらにその上、本明細書に開示されているすべての実施形態は、例えば、トラック１０、固定位置板１３０、及び取付具５０を含み、アルミニウム、鋼、プラスチック、ゴム、鋳物、または類似の材料から作られ得る。
【００８５】
機器取付システムは、機器取付システムの多くの構成部品が相互交換可能であり得るモジュール式であり得、そうすれば、組立時間、複雑性、及びコストを減少させ得ることがさらに理解されるであろう。機器取付システムにおけるそのようなモジュール性は、特定の状況に対するより迅速な流体応答を可能にし、それは、いくつかの実例では結果を改善し得る。機器取付システム構成は、様々な異なる車両及び／または他の機器上でのその使用を可能にし、したがって相互交換性及び柔軟性の恩恵を提供する。本明細書に記載されるトラックシステムの別の恩恵は、機器取付システムが触覚感知だけで（すなわち、感触だけで）利用され得るので、使用者が、１つ以上の機器を、ほとんどもしくはまったくない可視性で設置、取り外し、及び／または再構成することを可能にすることである。
【００８６】
図１のトラック１０、図３８のミニトラック１２、または図２８Ａ及び５６の迅速取付トラック１１は、取付スタッドの異なるサイズ及び異なる構成を収容するようにスケール変更可能であり得ることがさらに理解されるだろう。例えば、標準サイズは、２５．４ｍｍ（１インチ）の中心の上で、１９．０５ｍｍ（３／４インチ）穴（図１の開放領域３５）であり得る。トラック１０、ミニトラック１２、または迅速取付トラック１１は、５０．８ｍｍ（２インチ）の中心の上で、３８．１ｍｍ（１．５インチ）の穴に増加させられ得る。代替的に、トラック１０、ミニトラック１２、または迅速取付トラック１１は、図３８のミニトラック１２に対応するとされる１２．７ｍｍ（１／２インチ）中心の上で、９．５ｍｍ（３／８インチ）の穴に減少させられ得る。
【００８７】
いくつかの実施形態では、印刷もしくは塗装された標識及び／または触覚標識（例えば位置インジケータ）は、機器取付システムと共に使用され得る。例えば、位置インジケータは、トラック１０のそばに、または上に均等に設置され得る。いくつかの実施形態では、マーカーは、ほとんどもしくはまったくない可視性でアンテナ取付具１００の迅速な調節を可能にするように、トラック１０上に設置され得る。
【００８８】
機器取付システムは、十分な強度の任意の材料から作られ得る。それは、一片の材料または鋳物から作られ得る。取付板上のスタッド及びトラック上の開口部は、システムの製造において使用される機器及び材料によって必要とされる所望の取付強度に到達するために、必要に応じて増加または減少させられ得る。
【００８９】
本システムが、車両または他の機器に１つの機器を取り付けるための工具を必要としないことが理解されるだろう。前述のように、その使用及び設置の容易さは、日中または夜間の動作のどちらかにおいて１つの機器の取付を可能にすることになる。機器取付システムは、迅速解放部が暗闇の中で見出されるように、かつ１つの機器がほとんどないもしくはゼロの光条件下で移動されまたは取り外され得るように設計される。取り付けている機器は、また、トラックシステムとして公知であり得る。
【００９０】
ここから、図４０〜４５を参照すると、トラッククリップ３４００のある実施形態が示される。トラッククリップ３４００は、トラックに係合及び／または着脱可能に接続するように動作可能である、（すなわち、トラッククリップ３４００の本開示全体を通して使用されるように、「トラック」は、図１、２、及び２７〜３１のトラック１０、図３８に示されるミニトラック１２，または図２８Ａ〜５６に示される迅速取付トラック１１を含む）。したがって、ある特定の実施形態におけるトラッククリップ３４００は、本明細書に記載される例示的なトラック（例えば、図４５Ａ及び４５Ｂ）の第１の外側スロット２０、中心スロット２５、及び／もしくは第２の外側スロット３０のうちのいずれかの１つ以上に係合ならびに／または着脱可能に接続するように構成される。
【００９１】
図４０〜４５Ｂをなおも参照すると、トラッククリップ３４００は、縦軸３４９５を有する基部３４０５、横断基部３４０５から基部縦軸まで延伸するスロットフランジ３４２５、基部３４０５に着脱可能に接続された結合器３４１０、縦軸３４９５を横断するキャリヤ軸３４４０に沿って基部３４０５から延伸するガイド３４９７、キャリヤ３４２０が係合位置と係脱位置との間で基部３４０５に対して移動するようにガイド３４９７の周りに移動可能に配置されたキャリヤ３４２０、ガイド３４９７の周りに配置されたばね、ならびにキャリヤ３４２０に結合され、基部３４０５内に及びそれを通して延伸するスナッバパッド３４７０を含み得る。トラッククリップ３４００の構成部品は、金属、プラスチック、複合物等を含む、様々な同じ材料、異なる材料、またはそれらの組み合わせから製造され得る。
【００９２】
基部３４０５は、図４２に図解されるような基部幅３４４４、及び図４５Ａに図解されるような結合器面３４０８を含み得る。基部幅３４４４は、基部３４０５がトラックのスロット（例えば、第１の外側スロット２０、中心スロット２５、または第２の外側スロット３０のうちの１つ）と摺動可能に結合することを可能にするが、また、スロット内で基部３４０５の側方移動の量を最小化して、次に、トラックに対してトラッククリップ３４００の側方移動の量を最小化するのに十分である。ある実施形態では、基部３４０５はアンチラトルコーティングにおいて被覆され得る。そのような一実施形態では、アンチラトルコーティングは、トラッククリップ３４００がトラックに結合されるとき、トラッククリップ３４００とトラックとの間の干渉嵌めを創出する柔軟なコーティングであり得る。柔軟なコーティングは、例えば、プラスチックコーティング、ゴムコーティング、布コーティング、ワックスコーティング、泡コーティング、エラストマーコーティング、またはそれらの任意の組み合わせであり得る。別の実施形態では、アンチラトルコーティングは硬質表面であり得る。トラッククリップ３４００がトラックに結合されるとき、硬質表面は摩耗し得、これによって、干渉嵌めがトラッククリップ３４００とトラックの間で創出され、トラックに対するトラッククリップ３４００の移動を制限する。硬質表面は、例えば、プラスチック表面、セラミックコーティング等であり得る。スロットフランジ３４２５は、トラックの狭幅領域４０と摺動可能に結合され、以下により詳細に記載されるようにトラックにトラッククリップ３４００を留め付けるために使用され得る。
【００９３】
前述のように、スロットフランジ３４２５は、基部縦軸３４９５を横断する方向に基部幅３４４４から延伸し得る。スロットフランジ３４２５は、例えば、成形、注型、機械加
工、または他の類似の方法等の形成技術を使用して、基部３４０５の一体型構成部品として形成される。他の実施形態では、スロットフランジ３４２５は、任意の数の締付デバイス、溶接部、摩擦嵌め接続、またはそれらの任意の組み合わせ等を使用して、基部３４２５に固定してまたは着脱可能に接続される別々の構成部品を含み得る。示された実施形態では、ロットフランジ３４２５は基部３４２５の一方の端部に配置されて、キャリヤ３４２０と離間配置される。しかしながら、スロットフランジが、トラッククリップ３４００上の様々な位置に配置されて、任意の形状、設計、及び／またはサイズを有するように構成され得ることが理解される。
【００９４】
示された実施形態では、結合器３４１０が結合器面３４０８から延伸するように、結合器３４１０は、１つ以上の締付デバイス３４６５を使用して基部３４０５に着脱可能に接続される。他の実施形態では、結合器３４１０は、溶接部、摩擦嵌め、及び他の類似の方法を使用して、基部３４０５０に固定して接続され得る。結合器３４１０が、成形、注型、機械加工技法を介して、基部３４０５の不可欠な部分として形成され得ることも理解される。一実施形態では、結合器３４１０は、示されるように、Ｕ字形リングであり得る。別の実施形態では、結合器３４１０は、発光ダイオード（ＬＥＤ）等の光であり得る。柔軟な首部は、光と結合器面３４０８との間に結合され得る。さらに別の実施形態では、結合器３４１０は、フック、ペグ、留め金、ラッチ等であり得る。
【００９５】
ガイド３４９７は、本実施形態では、キャリヤ軸３４４０に沿って基部３４０５から延伸するポストであり、基部３４０５から離間配置される近端部及び遠位端を含む。ガイドフランジ３４５７は遠位端に配置される。てこ作用機能部３４１５は、ガイドフランジ３４５７に固定してまたは着脱可能に接続される。てこ作用機能部３４１５は、任意に、キャリヤ３４２０の上方に延伸して、使用者が、キャリヤ３４２０からてこ作用機能部３４１５を触覚的に特定するのを可能にし得る。てこ作用機能部３４１５は、また任意に、触覚もしくは把持の特徴またはリッジを含み得、それらは、使用者が、トラッククリップのキャリヤ３４２０または他の構成部品からてこ作用機能部３４１５を触覚的に特定することを可能にする。一実施形態では、てこ作用機能部３４１５は、エラストマー、ゴム、または類似の材料から製造され得る。ある特定の実施形態では、ガイドがてこ作用機能部３４１５または触覚の特徴を含まない場合があることが理解される。
【００９６】
キャリヤ３４２０は、キャリヤ本体３４４９、キャリヤ本体３４４９内に配置された第１のキャリヤ穿孔３４２１、第１のキャリヤ穿孔３４２１に接続され、またキャリヤ本体内に配置された第２のキャリヤ穿孔３４２２、第２のキャリヤ穿孔内に配置された穿孔止め具３４２３、及び第１のキャリヤ穿孔３４２１内に延伸して、ばね３４３４に係合するばね保持具３４５８を含み得る。基部３４０５に近位のキャリヤ本体３４４９の端部において、キャリヤ本体３４４９は、該キャリヤが、例えば、図４１、４３、及び４５Ｂに示されるような係合位置に移動されるとき、一部の基部３４０５が内部に挿入することを可能にするのに十分幅広な幅を有する本体チャネルを含み得る。
【００９７】
図４１に示されるように、キャリヤ本体３４４９は、第１の延長部分３４５５及び第２の延長部分３４６０を含み、それらは、キャリヤ軸３４４０に沿ってキャリヤ本体３４４９から延伸して、離間されて、該キャリヤが、例えば、図４１、４３、及び４５Ｂに示されるような係合位置に移動されるとき、一部の基部３４０５が内部に挿入することを可能にするのに十分幅広な幅を有する第２のチャネル３４６１を形成する。第１及び第２の延伸部分は、本実施形態では、形状が部分的に筒状であり、キャリヤ本体３４４９及び開放領域の直径ならびに／または幅より小さいが、トラックの狭幅領域（例えば、狭幅領域４０）の幅より大きい直径を有する。第１の延伸部分３４５５及び第２の延伸部分３４６０は、トラッククリップ３４００が係合位置にあるとき、トラックの開放領域（例えば、開放領域３５）内に挿入して、それに係合するように動作可能であり、トラッククリップ３４００がトラックのスロットに沿って移動することを防止する。第１の延伸部分３４５５及び第２の延伸部分３４６０が、それぞれ、キャリヤ本体３４４９の直径または幅より小さい直径または幅を有するので、キャリヤ本体３４４９は、図４１に図解されるように、第１及び第２の延伸部分から、ならびにキャリヤ軸から外向きに延伸する底表面３４４７を含む。
【００９８】
示されるように、ばね３４３４は、ガイド３４９７上に摺動して、その後、キャリヤ３４２０は、ばね及びガイド上に摺動して、これによって、ばね及びガイドは、それぞれ第１の穿孔３４２１及び第２の穿孔３４２２内に配置される。ガイド上及びキャリヤ内に位置するとき、ばねは、ガイドフランジ３４５７に係合及び接触している一方の端部、ならびにばね保持具３４５８に係合及び接触している反対側の端部を有する。図に示された実施形態では、ばね３４３４は、基部３４０５に向かってキャリヤ軸３４４０に沿ってキャリヤ３４０５を付勢する。
【００９９】
キャリヤ３４２０は、また、キャリヤ軸３４４０を横断するキャリヤから延伸する第２の穿孔３４２２に隣接するキャリヤ３４２０の端部に配置された第１のリップ３４４５、キャリヤ軸３４４０を横断するキャリヤから、かつ第１のリップの反対側の方向に延伸する第２の穿孔３４２２に隣接するキャリヤ３４２０の端部に配置された第２のリップ３４５０、及びキャリヤ軸３４４０を横断するキャリヤから、かつ基部縦軸３４９５と実質的に平行した方向に延伸する第２の穿孔３４２２に隣接するキャリヤ３４２０の端部に配置された中心フランジ３４３０を含み得る。追加として、キャリヤ３４２０は、キャリヤ軸３４４０に沿ったキャリヤ３４２０の長さの一部または全体に沿って走る中心ガイド３４８０を含み得る。
【０１００】
ばね３４３４及びキャリヤ３４２０が完全にガイド３４９７を包含するものとして示されるが、他の構成がトラッククリップのために使用され得ることが理解される。１つのそのような例では、ガイドは、基部３４０５から延伸するビーム、ガイドの一方側に沿って走る線形特性ばね、ならびにガイドが内部に挿入するチャネル及びばねを係合するばね保持具を有するキャリヤを備え得る。ガイドは、ばねの力に逆らって及びそれと共に、キャリヤのチャネル内で及びそれに沿って摺動するように動作可能である。
【０１０１】
トラッククリップ３４００の動作は、以下に説明される。図４４及び４５Ａは係脱位置におけるトラッククリップ３４００を図解し、図４０、４１、４３、及び４５Ｂは、係合位置、または言い換えると、通常付勢または休止位置におけるトラッククリップ３４００を図解する。図４０、４２、及び４３を参照すると、例えば、使用者は、第１のリップ３４４５及び第２のリップ３４５０の下にそれぞれ２本の指を置き、親指をてこ作用機能部３４１５の上に置くことによって、キャリヤ３４２０に移行力を加え、このように、例えば、図４４に示されるように、基部３４０５から離れて、及びキャリヤ軸３４４０に沿ってキャリヤ３４２０を移動して、係合位置から係脱位置までばね３４３４のばね力に逆らって移動し得る。キャリヤ３４２０が係合位置から係脱位置まで移動されるとき、キャリヤ３４２０は、また、スナッバパッドの遠位端が図４３に示されるような基部３４０５の底表面から外向きに延伸される位置から、スナッバパッド３４７０の遠位端が図４４に示されるように基部３４０５の開口内にある位置まで、スナッバパッド３４７０を移動する。
【０１０２】
トラッククリップ３４００がこの係脱位置にあるとき、使用者は、その時、スロットフランジ３４２５を開放領域（例えば、開放領域３０）内に、基部３４０５をトラックのスロット内に挿入して、それから、スロットフランジ３４２５が狭幅領域（例えば、狭幅領域４０）と（例えば、またはその下に）整合されて、第１の延伸部分３４５５及び第２の延伸部分３４６０がそれぞれ、トラックのそれぞれの開放領域と整合されるまで、スロッ
ト内でトラッククリップ３４００を摺動し得る。この時点で、使用者は、第１のリップ３４４５及び第２のリップ３４５０から指を、ならびにてこ作用機能部３４１５から親指をそれぞれ取り外すことによって、移行力を解放し得る。移行力が解放されると、ばね３４３４は、キャリヤ軸に沿って反対方向に（すなわち、基部３４０５に向かって）キャリヤ３４２０を付勢し、これによって、第１の延伸部分３４５５及び第２の延伸部分３４６０が、それぞれ、整合された開放領域内に挿入して、それを係合する。本実施形態の第１及び第２の延伸部分は、実質的に筒状形状、及びトラックの開放領域の形状に実質的に適合する形状を有するものとして示される。しかしながら、第１及び第２の延伸部分が、様々な形状、サイズ、及び構成を有し得、そのような形状、サイズ、及び構成が、開放領域の形状、サイズと構成に実質的に適合する必要がなく、同じである必要さえないことが理解される。例示的な形状は、矩形、円形、ダイヤモンド、三角形等を含み得るが、これらに限定されるものではない。いくつかの実施形態では、第１及び第２の延伸部分は、スロット及び／またはトラックに対する側方及び／または縦の移動を部分的にまたは完全に取り外すことを補助する開放領域との干渉嵌めを有し得る。
【０１０３】
追加として、キャリヤ３４２０を移動する際のばね３４３４のばね力は、また、基部に向かってスナッバパッド３４７０を移動し、これによって、スナッバパッドの遠位端は、基部３４０５からスロット内に延伸して、トラックのスロットの底表面を係合する。また、図４５Ｂにも示されるように、下部表面３４４７はトラックの面表面２０７８を係合する。トラックカウンターに逆らってスナッバパッド３４７０及び／または下部表面３４４７を介してスロットフランジ３４２５上にばね力によって及ぼされた力は、スロット及び／またはトラックに対する側方及び／または縦の移動を部分的にまたは完全に取り外すことを補助する。トラッククリップ３４００は係合位置においてトラックに結合される間、スナッバパッド３４７０は、トラッククリップ３４００が音を立て及び／またはトラックに対して移動することを防止する。
【０１０４】
トラッククリップ３４は、一旦、トラックに係合及び接続されるならば、様々な物体、デバイス、及び／または機器が、それらの物体、デバイス、及び／または機器を結合器３４１０に取設または接続することを介して、トラックに取り外し可能に取設及び／または接続されることを可能にする。物体、デバイス、及び／または機器は、例えば光、クリップボード、ＩＶバッグ、フックから懸吊し得る任意の物体（例えば、財布、ラップトップバッグ等）等の１つの機器を含むが、これらに限定されるものではない。トラッククリップ３４００は、トラッククリップ３４００をトラックに結合するか、トラックから結合解除するための単一の手動作を可能にし得る。
【０１０５】
トラッククリップ３４００のある特定の実施形態では、トラッククリップ３４００は衝突時に動作可能であり得る。全体として使用されるように、「衝突時に動作可能な」は、デバイス、機器、取付具、トラック、締付デバイスまたは構造が、慣性力、衝撃、車両衝突、または突然の車両操作を耐え抜き、その後機能性を保持するように構成され得ることを意味し、デバイス、機器、取付具、トラック、締付デバイス、または構造上に及ぼされた力は、前後方向に約１５Ｇｓ（すなわち、引力またはｇ力の単位）を超え、側方向に約１７Ｇｓを超え得る。他の実施形態では、デバイス、機器、取付具、トラック、締付デバイス、または構造上に及ぼされた力は、前後方向に約２２Ｇｓ（すなわち、引力またはｇ力の単位）を超え、側方向に約２６Ｇｓを超え得る。
【０１０６】
ここから、図４６を参照すると、壁キャビネット３１００の等角図が示される。壁キャビネット３１００は、例えば、車両、ヘリコプタ、飛行機、移動ホーム、全地形車両（ＡＴＶ）等の移動物体と共に使用され得る。壁キャビネット３１００は、車両、ヘリコプタ、飛行機、移動ホーム、全地形車両（ＡＴＶ）等の内装に取り外し可能に結合され得るか、または、壁キャビネット３１００は、車両、ヘリコプタ、飛行機、移動ホーム、全地形車両（ＡＴＶ）等の外装に取り外し可能に結合され得る。一実施形態では、壁キャビネット３１００は、車両、ヘリコプタ、飛行機、移動ホーム、全地形車両（ＡＴＶ）等から取り外されて、車両、ヘリコプタ、飛行機、移動ホーム、全地形車両（ＡＴＶ）等の外で使用するために、地面、テーブル等の上に位置付けられ得る。壁キャビネット３１００は、また、構造、建物等の静止物体内またはその上で使用され得る。壁キャビネット３１００は、衝突時に動作可能であり得る。
【０１０７】
壁キャビネット３１００は、上部壁３１３５、第１の側壁３１６５、第２の側壁３１６０、後部壁３５０５、及び底壁３１３０によって画定される部分的エンクロージャであり得る。ドア３１４０は、部分的エンクロージャに結合されて、壁キャビネット３１００の内側の格納容量３１２２を境界して、壁キャビネット３１００の外側の外側容量３１２１から格納容量３１２２を分離し得る。１つ以上の発光ダイオード（ＬＥＤ）光（図示せず）は、１つ以上の色を用いて、格納容量３１２２及び／または外側容量３１２１を照明するために使用され得る。ドア３１４０が開放位置に移行されるとき、１つ以上のＬＥＤ光は起動させられ得る。１つ以上のＬＥＤ光は、格納容量３１２２内の位置であり、部分的エンクロージャに結合され得る。１つ以上のＬＥＤ光は、格納容量内に位置付けられ、１つ以上の仕切板３２０６（図４７）の間で部分空間を照明し得る。例えば、一実施形態では、白色光ＬＥＤは、白色を発して、日中動作のために使用され得、赤色光ＬＥＤは、赤色を発して、低光量動作のために使用され得る。別の実施形態では、白色光ＬＥＤは、白色を発して、日中動作のために使用され得、緑色光ＬＥＤは、緑色を発して、低光量動作のために使用され得る。すべての実施形態では、クロック回路及び／または光電池は、１つ以上のＬＥＤ光から発された特定の色光がいつ使用されるべきかを判定するために使用され得る。外部スイッチ（図示せず）は、ドアスイッチから独立しているＬＥＤ光を有効／無効にするために使用され得る。電源（図示せず）は、１つ以上のＬＥＤ光に電力を供給するために使用され得る。電源は、１つ以上のバッテリ、ＡＣ／ＤＣアダプタ、または車両電気系統であり得る。
【０１０８】
第２の側壁３１６０は、壁キャビネット３１００の部分的エンクロージャの最も右の延伸部分であり得る。第１の側壁３１６５は、壁キャビネット３１００の部分的エンクロージャの最も左の延伸部分であり得る。第１の側壁３１６５が第１の型枠３１７５を、第２の側壁３１６０が第２の型枠３１７０をそれぞれ含み得る。第１の型枠３１７５及び第２の型枠３１７０は、可撓性及び／または柔軟な材料から構築され、第１の側壁３１６５及び第２の側壁３１６０の隅との任意の接触を軟化するか、それとの衝撃の力を吸収する区域を提供するように構成され得る。第１の型枠３１７５及び第２の型枠３１７０は、また、壁キャビネット３１００を把持して、使用者が壁キャビネット３１００を位置付けて、それを移動または固定物体に留め付けることを可能にするためのグリップ構造を提供し得る。
【０１０９】
図４６をなおも参照すると、ドア３１４０は、壁キャビネット３１００の部分的エンクロージャの最前部範囲を画定して、部分的エンクロージャにおいて開口部を被覆するように構成され得る。ドア３１４０は、部分的エンクロージャにヒンジ式に結合され、閉鎖位置及び開放位置を有し得る。他の実施形態では、ドア３１４０は、閉鎖位置と開放位置との間に他の位置、すなわち、１つ以上の部分的位置を有し得る。リクロージャ３１２０は、開放位置と閉鎖位置との間でドアを移行するために使用され得る。閉鎖位置では、ドア３１４０は、外側容量３１２１から格納容量３１２２を仕切り得る。ドア３１４０が閉鎖位置にある間、格納容量の任意の物体は格納容量内に含まれ得る。開放位置では、ドア３１４０は、部分的エンクロージャ内で外側容量３１２１から開口部を通って格納容量３１２２までアクセスすることを可能にする。係止具３１２７は、ドア３１４０に結合されて、格納容量３１２２内への簡単なアクセスを可能にするように構成され得る。係止具３１２５は、衝突時に動作可能であり得る。係止具３１２７は、ドア３１４０が閉鎖位置から開放位置まで移行することを防止して、さらに格納容量内に物体を留め付け得る。係止具の例としては、引っ張りラッチへの型番Ｍ１−ＦｌｕｓｈであるＳｏｕｔｈＣＯ（登録商標）ラッチがある。ドア３１４０は、また、１つ以上のウィンドウ３１８０を含み得る。ドア３１４０が閉鎖位置にあるとき、１つ以上のウィンドウ３１８０は、格納容量３１２２内の物体が、外側容量３１２１から視認可能であることを可能にし得る。ドア３１４０は、また、ハンドル（図示せず）を含み得る。ハンドルは、使用者が、ドア３１４０を閉鎖位置から開放位置まで、及びその逆に移行することを可能にするために使用され得る。一実施形態では、ハンドルは、使用者が係止位置から係止解除位置まで係止具を起動または移行することを可能にするラッチ機構を含み得る。係止具は、係止具に機械的に結合されるか、係止具に電気的に結合されるかのどちらかで、係止位置と係止解除位置との間で係止具を移行するボタンまたはレバーであり得る。別の実施形態では、別の実施形態では、ドア３１４０はミルテック（ｍｉｒｔｅｑ）樹脂から構築され得る。ミルテック樹脂は、硬化されるときに透明であり、ドア３１４０及び１つ以上のウィンドウ３１８０を備え得る。フレーム３４８８は、ドア３１４０に接着されて、ドア３１４０に対する衝撃を吸収する衝撃表面、及び美観を提供し得る。
【０１１０】
図４７は、壁キャビネット３１００の格納容量３１２２のための１つ以上の仕切板３２０６を図解する。１つ以上の仕切板３２０６は、壁キャビネット３１００内で使用され得る内部の仕切板の一実施形態にすぎない。代替の実施形態は、図４８〜５１に関して以下に本明細書に説明される。複数のリッジ３２６１は、上部壁３１３５に結合されるか、その上に配置され得る。複数のリッジ３２６１は、上部壁３１３５に沿って及び得、第１の側壁３１６５及び第２の側壁３１６０と実質的に平行であり得る。複数のチャネル３２６２は、底壁３１３０に結合されるか、その内に配置され得る。複数のチャネル３２６２は、保持リップ３１９０から後部壁３１０５まで底壁３１３０に沿って及び得、第１の側壁３１６５及び第２の側壁３１６０と実質的に平行であり得る。各仕切板３２０６は、各チャネル３２６２と、及び少なくとも２つのリッジ３２６１の間で摺動可能に結合するように構成され得る。言い換えると、各仕切板３２０６は、底壁３１３０のチャネル３２６２と上部壁３１３５との間で摺動可能に結合され得る。上部壁３１３５に沿った少なくとも２つのリッジ３２６１は、上部壁３１３５及び底壁３１３０に実質的に直交であるように仕切板３２０６を案内及び整合するために使用され得る。各仕切板３２０６が、別のチャネル３１２６に移動されて、各仕切板３２０６の間で部分空間内に格納容量３１２２を解析するように、各仕切板３２０６は、各チャネル３１２６に取り外し可能に結合され得る。各仕切板３２０６は、可撓性樹脂材料から構築され得る。
【０１１１】
底壁３１３０は、部分的エンクロージャの下部範囲を画定し、ドア３１４０が開放位置にあるとき格納容量３１２２から外側容量３１２１内に物体が移動することを妨げるように構成される保持リップ３１９０を備える。
【０１１２】
図４８は、仕切板アセンブリ３２００の別の実施形態の右前部等角図を図解する。図４９は、仕切板アセンブリ３２００の右底面等角図を図解する。図４８及び４９を参照すると、仕切板アセンブリ３２００は、支持構造３２１０に結合された１つ以上の仕切板３２０５を含み得る。各仕切板３２０５は、ヒンジ式に支持構造３２１０に結合されて、スペーサ３２１５によって分離され得る。１つ以上の仕切板３２０５及びスペーサ３２１５は、格納容量３１２２内に各仕切板３２０５を位置付けるように、支持構造軸３２２０に沿って移動するか、それと平行であるように構成され得る。１つ以上の仕切板３２０５は、使用者が、格納容量３１２２内で異なるサイズ及び／または不均一な物体を収容することを可能にし得る。
【０１１３】
図５０は、格納位置における仕切板アセンブリ３２００を描写する。各仕切板３２０５は、支持構造３２１０にヒンジ式に結合される。大きな物体が格納容量３１２２内に設置
されるならば、各仕切板３２０５または両方は、格納容量３１２２内に大きな物体を収容するように、格納位置に移行され得る。
【０１１４】
一実施形態では、かつ図４８〜５０を参照すると、仕切板アセンブリ３２００は、また、１つ以上の係止ピンアセンブリ３２２５を含み得る。第１の係止ピン３２２５ａは退縮位置において示され、第２の係止ピン３２２５ｂは延伸位置において示される。ここから、図５１を参照すると、各係止ピンアセンブリ３２２５は、係止筐体３２３０、係止ハンドル３２３５、及び係止ピン３２４０を含み得る。係止ハンドル３２３５は、係止ピン３２４０に結合される得、延伸位置から退縮位置まで係止ピン３２４０を移行するために使用され得る。Ｌ字形チャネル３２４５は、延伸位置と退縮位置との間で係止ハンドル３２３５を案内するために使用され得る。Ｌ字形チャネル３２４５は、また、Ｌ字形チャネル３２４５の上部分３２５０において退縮位置において係止ハンドル３２３５を保持するように構成され得る。一実施形態では、係止筐体３２３０の内側の係止ばね（図示せず）は、係止筐体３２３０と係止ピン３２４０との間で捕捉されて、係止軸３２５５に沿った延伸位置において係止ピン３２４０を付勢するように構成され得る。係止ピン３２４０は、図４６の底壁３１３０内で複数の開口と摺動可能に結合され得る。
【０１１５】
図５２は、キャビネット取付具３５００の等角図である。キャビネット板３５０５は、１つ以上の締付デバイス６２を介して取付具５０に結合される。キャビネット板３５０５は、例示的な目的のためにのみ、限定のためではなく、取付具５０を見ることの容易さのために、透明であるように図５２に図解されている。キャビネット板３５０５が透明であるように製造され得るが、本実施形態では、キャビネット板３５０５は鋼から製造され、したがって透明ではない。図５３及び５４に示されるように、キャビネット板３５０５及び取付具５０は、壁キャビネット３１００（図４６）の後部壁３１０５（図４６）を捕捉し得る。キャビネット板３５０５は、格納容量３１２２（図４６）内に位置付けられ得、取付具５０は、外側容量３１２１（図４６）内に位置付けられ得る。回転ノブ３５１０は、トラックに取付具５０を係止するための使用であり得る（すなわち、キャビネット取付具３５００の本開示を通して使用されるように、「トラック」は、図１、２、及び２７〜３１のトラック１０、図３８に示されるミニトラック１２、または図２８Ａ及び５６に示される迅速取付トラック１１を含む）。取付具５０は、トラックに壁キャビネット３１００を留め付けるための上述のような１つ以上のスタッド１４０を有し得る。
【０１１６】
図５３は、キャビネット取付具３５００の断面図である。１つ以上の締付デバイス６２は、キャビネット板３５０５、壁キャビネット３１００（図４６）の後部壁３１０５、及び取付具５０を一緒に結合し得る。回転ノブ３５１０は、取付具５０の螺合カラー３５２５と回転可能に結合し得る。回転ノブ３５１０は、係止ピン３５１５、保持クリップ３５３０、及びピンばね３５２０を含み得る。ピンばね３５２０は、回転ノブ３５１０と係止ピン３５１５との間でノブチャネル３５３５内で捕捉され得る。保持クリップ３５３０は、ピンばね３５２０の付勢力下の係止ピン３５１５のための最大量の移動（すなわち、係止ピン３５１５が延伸位置において取付具５０を越えて延伸する最大範囲）を画定する。
【０１１７】
図５４は、キャビネット取付具３５００の等角断面図である。取付具５０の螺合カラー３５２５は、回転ノブ３５１０が取付具５０に螺合可能に結合されることなく示される。取付具５０は、トラックに係合されて示される。螺合カラー開口３５４０は、係合されるとき、トラックの係止ピン開口６０（図５６）と整合させられる。
【０１１８】
図５５は、キャビネット取付具３５００に結合される図４７からの壁キャビネット３１００の断面等角図である。壁キャビネット３１００は、取付具５０が上述のようにトラックを係合するように、持ち上げられ、及び位置付けられ得る。壁キャビネット３１００がトラック上の適切な位置に摺動される（すなわち、螺合カラー開口３５４０がトラックの係止ピン開口６０（図５６）と整合される）とき、トラックは、壁キャビネット３１００とその内容物の全重量を支持する。回転ノブ３５１０は、格納容量３１２２（図４６）を通して、螺合カラー開口３５４０内に挿入され得る。係止ピン３５１５がトラックの係止ピン開口６０内に挿入されるまで、回転ノブ３５１０は回転され得る。係止ピン開口と係止ピン３５１５を結合することは、壁キャビネットが衝突時に動作可能であるように、トラックに対して壁キャビネット３１００との間の側方移動を抑制する。ピンばね３５２０は、上述のスナッバ機能を提供し、トラックに逆らって係止ピン３５１５を付勢して、取付具５０（及び壁キャビネット３１００）とトラックとの間のいかなる移動も減衰させる及び／または取り除く。
【０１１９】
図５６及び５７は、図２８Ａ及び２８Ｂに示される迅速取付トラック１１の別の実施形態を図解する。迅速取付トラック１１は、表面３６１５に結合される先細の縁を含み得る。表面３６１５は、迅速取付トラック１１及び迅速取付トラック１１に結合された機器の重量を支えるために使用され得る、車両壁、車両構造、建物の壁、建物の構造、または他のフレームもしくは支持部材を含み得る。表面３６１５は、構造または移動物体として以下にさらに定義される。
【０１２０】
迅速取付トラック１１の下地板１５は、１つ以上の取付点３６００、チェイス３６０５、係止ピン開口６０、第１のスロット２０、第２のスロット３０、及び面一な取付表面３６１０を含み得る。１つ以上の取付点３６００は、迅速取付トラック１１が表面または構造に留め付けられる位置であり得る。本明細書に開示される取付具５０（例えば、図３）の様々な実施形態が迅速取付トラック１１に結合されるとき、取付スタッドが直接１つ以上の取付点３６００の頂点の上の位置であるように、１つ以上の取付点３６００は、第１の外側スロット２０及び第２の外側スロット３０内に位置付けられ得る。１つ以上の取付点３６００の上方に直接取付具５０を係止することによって、取付具５０上に及ぼされたいかなる力も、１つ以上の取付点３６００に直接変換されて、１つ以上の締付デバイス３９３９を通して表面または構造に直接変換される。言い換えると、取付具５０、及び取付具５０に結合された機器上に及ぼされたいかなる力のモーメントアームも、表面または構造に向けられて変換される。図６０は、取付スタッドを１つ以上の取付点３６００の上に位置付けて、取付具５０を図解する。取付具５０上に及ぼされた任意の力のモーメントアームの低減は、先細の縁を有する迅速取付トラック１１が損傷を伴わずに支え、衝突時に動作可能であり得る力の量を増加させる。
【０１２１】
図５６及び５７をなおも参照すると、下地板１５は、第１の板縁３６１１及び第２の板縁３６１２をさらに含み得る。第１の板縁３６１１、第２の板縁３６１２、複数の係止ピン開口６０、第１の外側スロット２０、第２の外側スロット３０はすべて、互いに実質的に平行であり、下地板１５のＬを長さにわたり得る。第１の板縁３６１１及び第２の板縁３６１２は、下地板１５の長さＬに沿って下地板１５の最外部を画定する。迅速取付トラック１１は、迅速取付トラック１１が図６０に示されるように両端を突合せて結合されることを可能にする、迅速取付トラック１１の共通の縁３６５１に沿った、複数の半分の領域３６５２及び半分の開口３６５３を有し得る。
【０１２２】
図５７を参照すると、迅速取付トラック１１が表面３６１５に結合されるとき、面一な取付表面３６１０は、迅速取付トラック１１と表面３６１５との間で封止を創出し、維持し得る。第１の板縁３６１１及び第２の板縁３６１２は、面一な取付表面３６１０と接合するために先細であり得る。面一な取付表面３６１０は、第１の板縁３６１１及び第２の板縁３６１２に沿って画定される平面であり得る。これは、表面３６１５が洗浄される状況において有利であり得、汚染物質、生物学的材料等を有して、それが洗浄され得ない場合に迅速取付トラック１１の後ろに下がることは所望されない。チェイス３６０５は、下地板１５内に配置され得、面一な取付表面３６１０及び下地板１５によって画定され得る
。チェイス３６０５は、ワイヤ、ケーブル、空気ホース等が、迅速取付トラック１１の長さを走って、迅速取付トラック１１がさらされ得るいかなる危険からも保護されことを可能にし得る。
【０１２３】
図５８は、トラックキー３６３０の等角図である。トラックキー３６３０は、また、２つのトラック（すなわち、トラックキー３６３０の本開示を通して使用されるように、「トラック」は、図１、２、及び２７〜３１のトラック１０、図３８に示されるミニトラック１２、または図２８Ａ及び５６に示される迅速取付トラック１１を含む）を一緒に接合するために使用されて、表面または構造上でトラックの範囲を増加させ得る。トラックキー３６３０は、トラック内でキー開口３６４０と摺動可能に結合する。２つのトラックが分離しないように、１つ以上の締付デバイス６２は、トラックキー３６３０にトラックを結合し得る。１つ以上の締付デバイス６２は、トラック裏表面３６３５を通してトラックキー３６３０に、それらがトラック裏表面３６３５と面一となるように、結合され得る。いくつかの実施形態では、１つ以上の締付デバイス６２は図５７のチェイス３６０５に結合され得る。
【０１２４】
図５９は、トラックキー３６３０によって両端を突合せて結合される２つのトラックの等角図である。トラックキー３６３０は、干渉嵌めを通してトラック内でキー開口３６４０と摺動可能に結合し得る。キー開口３６４０との干渉嵌めは、両方のトラックの間で最小の移動を可能にして、衝突時に動作可能であり得る。
【０１２５】
図６０は、トラックキー３６３０と両端を突合せて結合される２つのトラックの正面図である。各トラックは、トラックの共通の縁３６５１に沿って、複数の半分の領域３６５２及び半分の開口３６５３を有し得る。共通の縁３６５１は、第１の板縁３６１１及び第２の板縁３６１２に実質的に直交であり得る。２つのトラックが接合されるとき、各半分の領域３６５２は、開放領域３５（例えば、図１）または半分のダイヤモンド外形をした標的領域１３（図２８Ａ）を画定し得る。保護エンドキャップ３６４５は、各トラックの各外端３６５０に結合され得る。保護エンドキャップ３６４５は、硬質プラスチックまたは軟質ゴムから作られ得る。保護エンドキャップ３６４５は、トラックの各外端３６５０を封止して、トラックの鋭い縁を被覆するために使用され得る。保護エンドキャップ３６４５は、また、洗浄することの容易さを可能にして、汚染物質、生物学的材料等が迅速取付トラック１１の構造に進入することを防止し得る。
【０１２６】
図６１は、図３７に示されるウェッジ取付具４７の別の実施形態である。ウェッジ取付具４７は、図１４に示されるウェッジインターフェース７２の上に吸引磁気力を提供するように構成され得る１つ以上の磁気区域３６７０を含み得る。１つ以上の磁気区域３６７０は、ウェッジインターフェース７２がウェッジ取付具４７に近接しているとき、ウェッジインターフェース７２上で吸引磁気力を及ぼすことによって、ウェッジインターフェース７２に結合された品目またはデバイスを取り付けている使用者を援助し得る。これは、ボウル開口５４（図１１）を視覚的に見つけ得ない使用者が、ウェッジ取付具４７にウェッジインターフェース７２を結合することをさらに援助し得る。
【０１２７】
図６２は、ラップトップ取付具３７００の正面図である。ラップトップ取付具３７００は、プラットフォーム３７０５、関節運動玉継手３７１０、ラップトップ係止具３７１５、及び複数のポスト３７２０を含み得る。関節運動玉継手３７１０は、第１の玉３７２５、第２の玉３７３０、及び圧縮クランプ３７３５を含み得る。関節運動玉継手３７１０は、ウェッジ取付具４７（図１１及び３７）にプラットフォーム３７０５を結合し得る。第２の玉３７３０は、ウェッジ取付具４７に結合されるが、ラップトップ取付具３７００が本明細書に記載される取付具のうちのいずれかに結合されて、トラック（すなわち、ラップトップ取付具３７００の本開示を通して使用されるように、「トラック」は、図１、２、及び２７〜３１のトラック１０、図３８に示されるミニトラック１２、または図２８Ａ及び５６に示される迅速取付トラック１１を含む）にラップトップ取付具３７００を取り外し可能に結合し得るということが理解されるべきである。第１の玉３７２５は、プラットフォーム３７０５に結合され得る。ラップトップ取付具３７００が所望の位置にあるとき、圧縮クランプ３７３５は、トラックに対するプラットフォームの移動を凍結または抑制するために使用され得る。関節運動玉継手３７１０は、ラップトップ取付具３７００の完全な可動域を可能にし得る。圧縮クランプ３７３５は、第１のクランプ３７５５と第２のクランプ３７５６との間で圧縮力を提供し、第１の玉３７２５、第１の端部３７２６、及び第２の玉３７３０を第２の端部３７３１において捕捉するためのボルト３７４５（図６３）及び蝶ナット３７５０を含み得る。第１の玉３７２５及び第２の玉３７３０は、第１のクランプ３７５５と第２のクランプ３７５６との間に結合され得る。関節運動玉継手３７１０の例としては、Ｒａｍ  Ｍｏｕｎｔｉｎｇ  Ｓｙｓｔｅｍｓ，Ｉｎｃ．からのホルダー及びアダプタ構成部品がある。ラップトップ係止具３７１５は、プラットフォーム３７０５にラップトップ３７４０を留め付けるために使用され得る。ラップトップ取付具３７００は衝突時に動作可能であり得る。
【０１２８】
一旦、ラップトップ取付具３７００がトラックに取り外し可能に結合されるならば、関節運動玉継手３７１０は蝶ナット３７５０を介して緩められ得、ラップトップ取付具３７００は、使用のために好適な位置にあるまで操作され得る。蝶ナット３７５０はその後、プラットフォーム３７０５が適切な位置に係止されるか、移動しないように留め付けられるように締められ得る。関節運動玉継手３７１０は、両方のプラットフォーム３７０５が、第１の玉３７２５（図６２）の周りで３６０度回転して、トラックによって画定された面に対して半球表面に沿って関節運動を行うことを可能にする。関節運動玉継手３７１０は衝突時に動作可能である。別の実施形態では、関節運動玉継手３７１０上に及ぼされた力が、衝突時に動作可能な定格に対する力を超えて、壊れることなくなおもその機能性を保持するならば、関節運動玉継手３７１０は、衝突時に動作可能なものによって画定されるようにプラットフォーム３７０５の動作を抑制し得、移動を可能にし得る。これは、ラップトップ取付具３７００が固定物体として留まらなかったので、車両の内装内の物体が、衝突時に動作可能な定格よりも大きなｇ力においてラップトップ取付具３７００に衝撃を与えて、最小の損傷または外傷を経験することを可能にし得る。
【０１２９】
図６３は、ラップトップ取付具３７００の側面図である。第２の玉３７３０は、ウェッジ取付具４７に結合され得る。一実施形態では、関節運動玉継手３７１０は、図１４〜１６Ｂに示されるウェッジインターフェース７２に結合され得、ウェッジインターフェース７２は、ウェッジ取付具４７と取り外し可能に結合され得る。ラップトップ係止具３７１５は、係止起動装置３７６５に結合されるパドル３７６０を含み得る。係止起動装置は、係止位置に複数のラッチ３７７０を回転させ、係止位置と解放位置との間で複数のラッチ３７７０を移行させる。係止位置において、ラップトップ３７４０は、プラットフォーム３７０５に留め付けられる。解放位置において、ラップトップ３７４０は、プラットフォーム３７０５から取り外されることを可能にされる。
【０１３０】
図６４は、ラップトップ取付具３７００の後部等角図である。図６２〜６４を参照すると、ラップトップ３７４０が、複数のブロック３７７５の間でプラットフォーム３７０５上へ下げられるように、ラップトップ係止具３７１５は開放位置にあり得る。複数のブロック３７７５及び複数のポスト３７２０は、プラットフォーム３７０５上で周りに摺動しないようにラップトップ３７４０を留め付け得る。一旦、ラップトップ３７４０がプラットフォーム３７０５上にあるならば、複数のラッチ３７７０が解放位置から係止位置まで移行するように、ラップトップ係止具３７１５上のパドル３７６０は起動される。図６４は、係止位置におけるラップトップ係止具３７１５を図解する。
【０１３１】
図６５は、ラップトップ取付具３７００の前部等角図である。本実施形態では、ラップトップ取付具３７００はｘ−取付具４８に結合される。ｘ―取付具４８は、図３に示される取付具５０と同様に動作し得る。ラップトップ係止具３７１５は、本実施形態であり、一組のつまみねじ３７８０から成る。ラップトップ取付具３７００の本実施形態も、衝突時に動作可能であり得る。構成されるように図６２〜６５がラップトップ取付具３７００を図解するが、ラップトップを保持する。ラップトップ取付具３７００が、ｉＰａｄ（登録商標）等の電子ノートパッドを保持及び／またはそれに接続するように構成され得ることが理解される。
【０１３２】
図６６は、トレイ取付具３８００の正面図である。トレイ取付具３８００は、トレイラック３８０５、関節運動玉継手３７１０（図６２〜６５に示されて、ラップトップ取付具３７００に関して上述される）、及び回転ポスト３８１０を含み得る。トレイラック３８０５は、関節運動玉継手３７１０に結合される。圧縮クランプ３７３５（図６２）は、トレイ取付具３８００が所望の位置にあるとき、トラック（すなわち、トレイ取付具３８００の本開示を通して使用されるように、「トラック」は、図１、２、及び２７〜３１のトラック１０、図３８に示されるミニトラック１２、または図２８Ａ及び５６に示される迅速取付トラック１１を含む）に対して、トレイラック３８０５の移動を凍結するか、留め付けるために使用され得る。一実施形態では、関節運動玉継手３７１０は、上述のように取付具５０に結合され得る。別の実施形態では、トレイ取付具３８００はウェッジ取付具４７に結合され得る。例示的な実施形態では、関節運動玉継手３７１０は、図１４〜１６Ｂに示されるウェッジインターフェース７２に結合され得、ウェッジインターフェース７２は、ウェッジ取付具４７に取り外し可能に結合され得る。トレイ取付具３８００が、本明細書に記載される取付具のいずれかに結合され得ることが理解されるべきである。トレイ取付具３８００は衝突時に動作可能であり得る。
【０１３３】
図６７は、トラック、特に、図５６に示されるような迅速取付トラック１１に結合されるトレイ取付具３８００の等角図である。図６４及び６７を参照すると、図６４のラップトップ取付具３７００及び図６７のトレイ取付具３８００は、ラップトップ取付具３７００に対して、上述のように関節運動玉継手３７１０を介して調節可能であり得る。
【０１３４】
図６６及び６７を参照すると、トレイラック３８０５は、トレイ３８１５を捕捉するように構成され得る。トレイラック３８０５は、トレイラック３８０５内でトレイ３８１５と摺動可能に結合し、それを捕捉するための複数の捕捉リップ３８０６を含み得る。回転ポスト３８１０は、保持位置において示され、トレイ３８１５は、トレイラック３８０５と回転ポスト３８１０との組み合わせによって捕捉される。回転ポスト３８１０が１８０度回転するならば、トレイ３８１５は、トレイラック３８０５から摺動されて取り外され得る。
【０１３５】
図６８は、酸素ボンベ取付具３８５０の正面図である。酸素ボンベ取付具３８５０は、フレーム３８５５、１つ以上のビン保持クランプ３８６０、フレームハンドル３８６５、マニホルド３８６６、及び１つ以上のトラック解放部３８７０を含み得る。フレーム３８５５は、１つ以上の酸素ボンベ３８７５を保持するように構成され得る。フレームハンドル３８６５は、フレーム３８５５に結合され得、使用者が、位置の間で酸素ボンベ取付具３８５０を搬送するか、酸素ボンベ取付具３８５０を操作して、それをトラック（すなわち、酸素ボンベ取付具３８５０の本開示を通して使用されるように、「トラック」は、図１、２、及び２７〜３１のトラック１０、図３８に示されるミニトラック１２、または図２８Ａ及び５６に示される迅速取付トラック１１を含む）に取り付けることを可能にし得る。１つ以上のボトル保持クランプ３８６０は、フレーム３８５５に結合され得、各酸素ボンベ３８７５が各ボトル保持クランプ３８６０に取り外し可能に結合されることを可能にする迅速解放部３８８０を含み得る。各ボトル保持クランプ３８６０は、フレーム３８５５に各酸素ボンベ３８７５を留め付けるための各酸素ボンベ３８７５の首部カラー３８７２を捕捉し得る。
【０１３６】
スリーブ壁３８５９のスリーブ高さＨは、１つ以上の酸素ボンベ３８７５の下半分を留め付け得る。スリーブ高さＨは、各酸素ボンベ３８７５の重量に依存し得る。一実施形態では、フレームハンドル３８６５は、フレーム３８５５に取り外し可能に結合され得る。フレームハンドル３８６５が取り外されたあと、各酸素ボンベ３８７５がフレーム３８５５から取り外され得るので、スリーブ高さＨは、本実施形態ではより大きい場合がある。別の実施形態では、フレームハンドル３８６５は、フレーム３８５５に固定して結合されるかもしれない。スリーブ高さＨは、各々の酸素ボンベ３８７５が、傾いて、取り外され、フレーム３８５５内に挿入されることを可能にするように下部にあり得る。
【０１３７】
ボンベ軸３８６８は、１つ以上のボトル保持クランプ３８６０の水平整合を画定し得る。ボンベ取付軸３８６９は、複数の取付スタッド１４０（図３）の中心軸を画定して、図７０により詳細に示され得る。酸素ボンベ取付具３８５０の重心がボンベ取付軸３８６９に沿ってあるように、距離Ｄは修正され得る。一例では、スペーサは、１つ以上の酸素ボンベ３８７５の下方に設置されて、ボンベ取付軸３８６９に向かってよりその重心を上げ得る。本例では、その酸素ボンベのためのボトル保持クランプ３８６０は、また、上げられる場合もあれば、ボンベ軸３８６８に沿って位置しない場合もある。これは、酸素ボンベ取付具３８５０上に及ぼされるいかなる力も、直接トラックに伝達されて、衝突時に動作可能であることを可能にし得る。
【０１３８】
図６９は、酸素ボンベ取付具３８５０の等角図である。マニホルド３８６６はフレーム３８５５に結合され得る。チューブネットワーク３８５１（図７１）は、マニホルド３８６６に１つ以上の酸素ボンベ３８７５の各々を流体結合し得る。マニホルド３８６６は、減圧弁（図示せず）と、圧力計（図示せず）と、他の医療デバイス（図示せず）が、マニホルドと流体結合して、１つ以上の酸素ボンベ３８７５内での酸素へのアクセスを有することを可能にする１つ以上のポート３８６７とを含み得る。
【０１３９】
図７０は、酸素ボンベ取付具３８５０の背面図である。フレーム３８５５は、フレーム３８５５の後部表面３８７１、及び後部表面３８７１上に配設された複数の取付スタッド１４０（図３）を含み得、これによって、酸素ボンベ取付具３８５０がトラックに取り外し可能に結合され得る。１つ以上のトラック解放部３８７０は、フレーム３８５５に結合されて、係止位置に付勢され得、これによって、酸素ボンベ取付具３８５０は、トラックに結合されて、適切な位置に摺動されるとき、１つ以上のトラック解放部３８７０は、トラックの係止ピン開口６０（図５６）内に係止ピンを付勢する。１つ以上のトラック解放部３８７０は、係止ピン開口から係止ピンを引っ張って、かつトラックから酸素ボンベ取付具３８５０を解放するように引っ張られ得る解放ハンドル３８８５（図６８）を含み得る。
【０１４０】
図７１は、酸素ボンベ取付具３８５０の別の実施形態の正面図である。図６８〜７０と図７１との違いは、本明細書に強調表示されるものとする。図７１をなおも参照すると、本実施形態におけるフレームハンドル３８６５は後部フレーム壁３８５２に結合され得る。これは、図６８〜７０に示される実施形態比較されるとき、後部フレーム壁３８５２がより短い高さＳを有することを可能にし得、各酸素ボンベ３８７５が、酸素ボンベ３８７５を傾けることなくフレーム３８５５から取り外されることを可能にし得る。本実施形態のマニホルド３８６６は、フレーム３８５５の内部側３８５３の上でフレーム３８５５に結合され得る。マニホルド３８６６のこの位置は、酸素ボンベ取付具３８５０の外部の危険からのマニホルド３８６６及びチューブネットワーク３８５１の増強された保護を提供し、衝突事象の間、マニホルド３８６６の生存性を増加させ得る。
【０１４１】
図７２は、除細動器取付具３９００等角図である。除細動器取付具３９００は、ｃ−フレーム３９０５、基部３９１０、及び顎型クランプ３９１５を含み得る。ｃ−フレーム３９０５は、基部３９１０、顎型クランプ３９１５、及び取付具に結合され得る。ｃ−フレーム３９０５は、ｃ−フレームを補強するための構造的押さえ材３９６２を含み得る。除細動器取付具３９００は衝突時に動作可能であり得る。本明細書に記載されるいかなる取付具も、トラック（すなわち、除細動器取付具３９００及び圧縮除細動器取付具３９０１（図７６）の本開示を通して使用されるように、「トラック」は、図１、２、及び２７〜３１のトラック１０、図３８に示されるミニトラック１２、または図２８Ａ及び５６に示される迅速取付トラック１１を含む）に除細動器取付具３９００を結合するために使用され得、取付具５０（図３）、及びウェッジインターフェース７２（図１４）とウェッジ取付具４７（図１１）との組み合わせを含み得ることが理解されるべきである。基部３９１０は、ｃ−フレーム３９０５の下端部３９１１に結合され得、１つ以上の保持ブロック３９２０及び保持リップ３９１４を含み得る。１つ以上の保持ブロック３９２０は、除細動器３９２５（図７３）と摺動可能に結合して、それを基部３９１０に留め付けるために使用され得る。保持リップ３９１４は、側方運動から除細動器３９２５を抑制するために使用され得、以下に説明されるように除細動器取付具３９００内に除細動器３９２５を設置するときガイドとしての機能を果たし得る。１つ以上の保持ブロック３９２０は、除細動器３９２５の底でいかなる空洞も塞ぐように形作られ得る。１つ以上の保持ブロックは、前後運動及び側方運動から除細動器３９２５を留め付けるように構成され得る。
【０１４２】
図７３は、除細動器３９２５が除細動器取付具３９００によって捕捉された除細動器取付具３９００の別の等角図である。顎型クランプ３９１５は、ｃ−フレーム３９０５の上端部３９１２に結合され得る。顎型クランプ３９１５は、除細動器３９２５のハンドル３９３０を捕捉及び保持するように構成され得る。除細動器取付具３９００の機能は、以下にさらに詳細に議論される。除細動器取付具３９００は衝突時に動作可能であり得る。
【０１４３】
図７４は、開放位置における顎型クランプ３９１５の等角図である。顎型クランプ３９１５は、上顎３９１６、下顎３９１７、及び解放ボタン３９４５を含み得る。解放ボタン３９４５は、上顎３９１６及び下顎３９１７が互いに対して移動することを可能にする。顎型クランプ３９１５が開放位置にあるとき、除細動器３９２５は除細動器取付具３９００から取り外し可能であり得る。下顎３９１７は、ｃ−フレーム３９０５の上端部３９１２の延伸部分であり得る。別の実施形態では、下顎３９１７は、上顎３９１６にヒンジ式に結合され得、上顎３９１６に対して移動し得る。顎型クランプ３９１５は衝突時に動作可能であり得る。
【０１４４】
図７５は、顎型クランプ３９１５の側面図である。ｊ−ラッチ３９３５は、上顎３９１６に結合されて、傾斜面３９４７を含み得る。示されるように、ばね（図示せず）は、ラッチ位置にｊ−ラッチ３９３５を付勢する。ラッチ位置及びラッチ解除位置は、ｊ−ラッチ３９３５及び顎型クランプ３９１５に等しく適用可能であり得る。上顎３９１６に結合された解放ボタン３９４５（図７４）は、ラッチ位置とラッチ解除位置との間で顎型クランプ３９１５を移行させる。顎型クランプ３９１５が閉鎖されるにつれて、傾斜面３９４７は、バー３９４０と摺動可能に結合し得る。傾斜面３９４７は、解放ボタン３９４５の起動なしで、顎型クランプ３９１５がラッチ解除位置からラッチ位置まで移行することを可能にする。ラッチ位置では、ｊ−ラッチ３９３５は、バー３９４０を捕捉して、ラッチ位置において顎型クランプ３９１５を留め付け得る。ばねは、ラッチ位置においてｊ−ラッチ３９３５を付勢及び保持して、それによって図７３の除細動器３９２５を留め付け得る。解放ボタン３９４５（図７１及び７２）は、押されて、ラッチ位置からラッチ解除位置までｊ−ラッチ３９３５を移行して、顎型クランプ３９１５が除細動器３９２５を開放して、解放することを可能にし得る。
【０１４５】
使用者は、保持リップ３９１４内に除細動器３９２５の前部リップを設置して、１つ以上の保持ブロック３９２０上で除細動器を振動させることによって、除細動器取付具３９００に除細動器３９２５を結合され得る。除細動器３９２５が基部３９１０上に載置されている１つは、除細動器３９２５のハンドル３９３０は、顎型クランプ３９１５内の載置される適切な位置にあることになっている。顎型クランプ３９１５は、その後、ｊ−ラッチ３９３５がバー３９４０を捕捉及び保持するまで、下顎３９１７に向かって上顎３９１６を移行することによって、ラッチ位置に移行され得る。一旦、除細動器取付具３９００は、ラッチ位置にあると、除細動器３９２５が衝突時に動作可能であるように、除細動器３９２５を留め付ける。
【０１４６】
図７６は、圧縮除細動器取付具３９０１の等角図である。圧縮除細動器取付具３９０１は、図７２に示される除細動器取付具３９００として機能し、それと同じ構造を有し得る。圧縮除細動器取付具３９０１の実施形態では、顎型クランプ３９１５は除細動器ラッチ３９５５に置き換えられ得る。除細動器ラッチ３９５５は、ｃ−フレーム３９０５の上端部３９１２に結合され得る。除細動器ラッチ３９５５は、どんなに下顎３９１７を欠いていようとも、機能が顎型クランプ３９１５（図７４）に類似している。除細動器ラッチ３９５５は、起動装置ハンドル３９６０及びデバイスインターフェース３９６１を含み得る。除細動器ラッチ３９５５は衝突時に動作可能であり得る。
【０１４７】
圧縮除細動器取付具３９０１は、ｃ−フレーム３９０５、基部３９１０、及び除細動器ラッチ３９５５を含み得る。ｃ−フレーム３９０５は、基部３９１０、除細動器ラッチ３９５５、及び取付具に結合され得る。ｃ−フレーム３９０５は、ｃ−フレームを補強して、圧縮除細動器取付具３９０１を衝突時に動作可能にするための構造的押さえ材３９６２も含み得る。本明細書に記載されるいかなる取付具も、トラックに圧縮除細動器取付具３９０１を結合するために使用され得、取付具５０（図３）、及びウェッジインターフェース７２（図１４）とウェッジ取付具４７（図１１）との組み合わせを含み得ることが理解されるべきである。基部３９１０は、ｃ−フレーム３９０５の下端部３９１１に結合され得、１つ以上の保持ブロック３９２０及び保持リップ３９１４を含み得る。保持リップ３９１４は、側方運動から除細動器３９２５を抑制するために使用され得、除細動器取付具３９００内に除細動器３９２５を設置するときガイドとしての機能を果たし得る。１つ以上の保持ブロック３９２０は、除細動器３９２５の底でいかなる空洞も塞ぐように形作られ得る。
【０１４８】
デバイスインターフェース３９６１が、除細動器３９２５上で干渉嵌めを通して均一な力を及ぼして、除細動器ラッチ３９５５と基部３９１０との間で除細動器３９２５を留め付けるように、デバイスインターフェース３９６１は、除細動器面３９６１の外形を描き得る。いくつかの実施形態では、除細動器中間物（図示せず）は、除細動器３９２５にデバイスインターフェース３９６１を結合するために使用され得る。除細動器中間物の例としては、泡パッド、ゴムパッド、ガスケット、滑り止め材料等が挙げられるが、これらに限定されるものではない。除細動器中間物は、デバイスインターフェース３９６１と除細動器３９２５との間の干渉嵌めの力を増加させるために使用され得る。
【０１４９】
図７７は、圧縮除細動器取付具３９０１の別の等角図である。本実施形態では、１つ以上の保持ブロック３９２０は、異なる除細動器３９２５に適合するために異なる形状において示される。１つ以上の保持ブロック３９２０は、除細動器３９２５（図７３）と摺動可能に結合して、それを基部３９１０に留め付けるために使用され得る。除細動器ラッチ３９５５は閉鎖位置において示される。重量節減開口３９２１は、ｃ−フレーム３９０５及び圧縮除細動器取付具３９０１の構造強さを減少させることなく圧縮除細動器取付具３９０１の全重量を減少させるように、基部３９１０及び構造的押さえ材３９６２内に配置され得る。
【０１５０】
図７８は、除細動器ラッチ３９５５が開放位置において示される圧縮除細動器取付具３９０１の別の等角図である。除細動器ラッチ３９５５が閉鎖位置にあるとき、一対のラム３９６５は、基部係止具３９７０と摺動可能に結合し得る。除細動器ラッチ３９５５の動作は、以下にさらに詳細に説明される。
【０１５１】
図７９は、除細動器ラッチ３９５５の等角図である。図７７及び７８を参照すると、除細動器ラッチ３９５５は、起動装置ハンドル３９６０によって閉鎖位置と開放位置との間で起動される。起動装置ハンドル３９６０は、基部係止具３９７０と摺動可能に結合する一対のラム３９６５に結合される。１つ以上の付勢ばねは、係止位置に起動装置ハンドル３９６０及び一対のラム３９６５上で付勢力を及ぼす。除細動器ラッチ３９５５が開放位置にあるとき、一対のラム３９６５は基部係止具３９７０と摺動可能に結合することができない場合がある。除細動器ラッチ３９５５が閉鎖位置に移行されるとき、一対のラム３９６５は、基部係止具３９７０と整合して、係止位置に除細動器ラッチ３９５５を係止し得る。起動装置ハンドル３９６０は、１つ以上の付勢ばねの付勢力に逆らって起動されて、係止位置から係止解除位置まで除細動器ラッチ３９５５を移行し得る。起動装置ハンドル３９６０の移行は、基部係止具３９７０から一対のラム３９６５を引っ張り、このように除細動器ラッチ３９５５が開放位置に移行することを可能にする。
【０１５２】
閉鎖位置では、除細動器ラッチ３９５５のハンドル開口３９２８は、図７６に示されるように除細動器３９２５のハンドル３９３０を捕捉するように構成され得る。スペーサバー３９２９は、一対のラム３９６５に起動装置ハンドル３９６０を結合し得る。これは、除細動器ラッチ３９５５が、異なる除細動器３９２５の異なるサイズハンドル３９３０を収容することを可能にし得る。起動装置開口３９２７は、除細動器ラッチ３９５５内に配置されて、起動装置ハンドル３９６０の起動ストロークＴを画定し得る。起動装置ハンドル３９６０の起動ストロークＴは、一対のラム３９６５が基部係止具３９７０と摺動可能に結合する深さ（図示せず）に関連があり得る。いくつかの実施形態では、一対のラム３９６５が基部係止具３９７０と摺動可能に結合する深さは、除細動器ラッチ３９５５を衝突時に動作可能であるものとして定義し得る。
【０１５３】
図８０は、迅速取付トラック１１に結合されて示される除細動器取付具３９００の側面図である。図２８Ａ及び５６に示される迅速取付トラック１１が、図１、２、及び２７〜３１のトラック１０、または図３８に示されるミニトラック１２で代用され得ることが理解されるべきである。本明細書に記載されるいかなる取付具もトラックに除細動器取付具３９００を結合するために使用され得、ウェッジ取付具４７（図１１）、及びウェッジインターフェース７２（図１４）とウェッジ取付具４７（図１１）との組み合わせを含み得ることも理解されるべきである。この図は、上述の機器及び取付具のいずれかを迅速取付トラック１１に結合することの例として使用され得る。例えば、除細動器取付具３９００が示されるが、図５２に示されるキャビネット取付具３５００、図６８に示される酸素ボンベ取付具３８５０、または図６２に示されるラップトップ取付具３７００は使用され得る。
【０１５４】
図８０をなおも参照すると、迅速取付トラック１１は表面３６１５（図５６）に結合され得る。解放機構１９０（図７）は、上部機器軸３９６４の上方に位置付けられ得、これによって、使用者は、解放機構１９０を視覚的に獲得して、この場合、除細動器取付具３９００からの干渉を伴わずに、解放機構１９０を操作することができ得る。
【０１５５】
迅速取付トラック１１及びウェッジ取付具４７は、衝突時に動作可能であるように構成される。それらは、除細動器取付具上で及ぼされる力によって、垂直、水平、前後方向と
、側方向との両方における移動に抵抗し得る。取付スタッド１４０ａ、１４０ｂ、１４０ｃ、及び１４０ｄ（図３）は、図５７に示されるように１つ以上の締付デバイス３９３９の真上に位置付けられ得る。迅速取付トラック１１は、図８０において垂直配向で示される。
【０１５６】
図８１は、除細動器補助トレイ３３２０の左等角図である。除細動器補助トレイ３３２０は、基部トレイ３３２５、第１の側トレイ３３３０、及び第２の側トレイ３３３５を含み得る。基部トレイ３３２５は、除細動器取付具３９００（図７２）か圧縮除細動器取付具３９０１（図７６）のどちらかの基部３９１０と結合し得る。基部３９１０内に配置された１つ以上の締付デバイス開口３９４１は、上述のように、基部３９１０に基部トレイ３３２５を留め付けるために、１つ以上の締付デバイスによって使用され得る。第１の側トレイ３３３０及び第２の側トレイ３３３５は、除細動器補助トレイ３３２０に１つ以上の補助ポーチ３３４５（図８１）を留め付けるために使用され得る。第１の側トレイ３３３０及び第２の側トレイ３３３５は、柔軟なプラスチック、金属、複合物、剛性プラスチック、ゴム、または類似の材料から構築され得る。
【０１５７】
図８２は、除細動器補助トレイ３３２０の右等角図である。除細動器補助トレイ３３２０は、除細動器３９２５及び１つ以上の補助ポーチ３３４５を収容するように寸法決めされ得る。各補助ポーチ３３４５は、除細動器３９２５のための広範囲にわたる補助物を収容する寸法であり得る。例えば、一対の衝撃パドル、導電性ゲル等は、１つ以上の補助ポーチ３３４５内に格納され得る。補助ポーチの使用は、除細動器３９２５のための補助物に限定されず、他の医療デバイス及び補助物、医療品、記録装置のために使用され、電子装置、ペン及び紙、電源（例えば、バッテリ及びＡ／Ｃアダプタ）等を含み得る。延伸コード３３５０は、医療用補助物を除細動器３９２５に電気的に結合するために使用され得る。延長コード３３５０は、医療用付属品が除細動器３９２５と結合するのに便利な位置を提供するように、除細動器補助トレイ３３２０上に位置付けられ得る。延伸コード３３５０は、第２の側トレイ３３３５に結合されることが示されるが、延伸コード３３５０が、基部トレイ３３２５、第１の側トレイ３３３０に、または除細動器取付具３９００もしくは圧縮除細動器取付具３９０１にさえ結合され得ることが理解されるべきである。延伸コード３３５０は、使用者によって、または除細動器３９２５の構成のためにアクセスすることの容易さを可能にするいかなる位置にも結合され得る。１つ以上の延伸コード３３５０が、除細動器補助トレイ３３２０、除細動器取付具３９００、または圧縮除細動器取付具３９０１に結合され得ることも理解されるべきである。
【０１５８】
図８３は、除細動器補助トレイ及び１つ以上の補助ポーチ３３４５の分解図である。基部トレイ３３２５は、除細動器３９２５と結合して、除細動器３９２５を保持するか、留め付けて、衝突時に動作可能であるように構成され得る。基部トレイ３３２５は、図７２に示される１つ以上の保持ブロック３９２０も含み得る。一実施形態では、第１の側トレイ３３３０及び第２の側トレイ３３３５は、１つ以上の補助ポーチ３３４５なしで除細動器３９２５に適合するように構成され得る。別の実施形態では、第１の側トレイ３３３０及び第２の側トレイ３３３５は、１つ以上の補助ポーチ３３４５の形状に適合し得る。１つ以上の補助ポーチ３３４５の外縁３３６０は、第１の側トレイ３３３０及び第２の側トレイ３３３５と摺動可能に結合するように丸くされ得る。外縁３３６０は、特定の補助物が補助ポーチ３３４５内に設置されることを可能にするように四角にされ得る。これは、次に、第１の側トレイ３３３０及び第２の側トレイ３３３５が四角にされることを必要とし得る。閉鎖機構３３５５は、補助ポーチ３３４５内で補助物を完全に囲むために、各補助ポーチ３３４５に結合され得る。
【０１５９】
図８４は、図５６に対する、上述のような先細の縁を有する迅速取付トラック１１の正面図である。迅速取付トラック１１の背面図は、図８４の鏡像である。
【０１６０】
図８５は、図５６に対する、上述のような先細の縁を有する迅速取付トラック１１の右側面図である。迅速取付トラック１１の左側面図は、図８５の鏡像である。
【０１６１】
図８６は、図５６に対する、上述のような先細の縁を有する迅速取付トラック１１の上面図である。
【０１６２】
図８７は、図５６に対する、上述のような先細の縁を有する迅速取付トラック１１の底面図である。
【０１６３】
図８８は、図５６に対する、上述のような先細の縁を有する迅速取付トラック１１の前部左等角図である。
【０１６４】
図８９は、図５６に対する、上述のような先細の縁を有する迅速取付トラック１１の左上等角図である。
【０１６５】
図９０は、図５６に対する、上述のような先細の縁を有する迅速取付トラック１１の右上等角図である。
【０１６６】
図９１は、開放捕捉板８８５６内の開放鍵穴スロット開口５７の上面図である。開放鍵穴スロット開口８８５７は、開放幅広端部８８７０及び開放幅狭端部８８７５を含み得る。開放捕捉板８８５６は、開放幅広端部８８７０の開放端部構造を除いて、図１１の捕捉板５６と同じように機能する。図９１を図１１と比較して、開放幅広端部８８７０は、図１１の幅広区域７０の閉鎖構造と比較されるとき、開放端部構造である。開放幅広端部８８５７は、図１４のウェッジインターフェース７２が図１１のウェッジ取付具４７と摺動可能に結合することを可能にする。開放幅広端部８８５７は、ウェッジインターフェース７２とウェッジ取付具４７との間で非整合のより大きな許容差を可能にして、また、ウェッジ取付具４７とのウェッジインターフェース７２の適当な係合を提供する。開放捕捉板８８５７は、捕捉板５７との直接の置き換えであり得る。
【０１６７】
図１に示されるトラック１０、図３８に示されるミニトラック１２、または図２８Ａ及び５６に示される迅速取付トラック１１は、交換可能に使用され得ることが本開示を通して理解されるべきである。例えば、１つの機器または取付具５０がトラック１０に結合されることが議論される場合、トラック１０はミニトラック１２または迅速取付トラック１１によって代用され得る。取付構成は、トラック（１０、１１、または１２）の異なる種類の間で結合を有効にするための変化である必要があり得るが、取付構成の多目的性及び可変性が本開示によって想定するであることが理解されるべきである。本開示は、この相互交換性が存在し得る区域（すなわち、「トラック」は、トラック１０、迅速取付トラック１１、またはミニトラック１２を意味し得る）を強調表示するが、その強調表示は、強調表示が存在しない本開示の他の部分で相互交換性を排除しない。
【０１６８】
全体として、取付具５０が、ウェッジインターフェース７２（例えば、図１４）、任意の数の取付スタッド１４０（例えば、図３）、機器インターフェース１７２（例えば、図９）、ウェッジ取付具４７（例えば、図１１）、キャビネット取付具３５００（図５２）または機器トラック取付具１７００（例えば、図２４）と相互交換可能であり得ることも理解されるべきである。取付構成の多目的性及び可変性は、本開示によって想定される。本開示は、この相互交換性が存在し得る区域（すなわち、取付具は、取付具５０またはウェッジインターフェース７２であり得る）を強調表示するが、その強調表示は、強調表示が存在しない本開示の他の部分で相互交換性を排除しない。
【０１６９】
機器取付システムは、添付の図面に示されて、上記に記載される。機器取付システムは、様々なトラック及び様々な取付具を含み得る。機器取付システムは、構造または移動物体に取り外し可能に結合され得る。移動物体は、救急搬送車両、ヘリコプタ、飛行機、移動ホーム、全地形車両（ＡＴＶ）等の車両を含み得る。救急搬送車両は、救急車、医療ヘリコプタ、医療飛行機等を含み得る。上述の様々な取付具は、各種類の取付具のために構造もしくは車両を修正する必要性なく、これらの異なる構造及び／または車両の間で移動され得る。機器取付システムは、様々な取付具のうちの１つに結合された１つの機器が、車両整備または使用のし易さのために、車両から取り外されて、構造内に運ばれて、構造に取り付けられることを可能にする。該１つの機器は、車両の内部に使用されないとき、車両の外部の部分に結合され得る。例えば、除細動器取付具に結合された除細動器は、救急車から病院まで運ばれ、患者のベッドのそばの壁上のトラックに取り付けられ得、そのため、除細動器は、患者に対して使用され得る。別の例では、患者が医療ヘリコプタから病院内の救急処置室まで輸送されるとき、患者に流体結合されたＩＶバッグは、患者と共に移動され得る。医療関係者は、トラックからＩＶバッグに結合された取付具を取り外して、患者と共にＩＶバッグを移動し、救急室内の壁または天井のトラックに取付具を再結合し得る。機器取付システムは、機器取付システムを使用するとき、広範囲にわたる任意の構成を存在させることを可能にする。
【０１７０】
「実質的に」及び「約」という用語が、任意の量的比較、値、測定、または他の表現に起因し得る固有の不確実度を表現するために、本明細書に利用され得ることに留意されたい。これらの用語は、また、程度を表現するために本明細書に利用され、その程度によって、量的表現は、問題になっている主題の基本機能の変化をもたらすことなく、規定の参照から変更し得る。
【０１７１】
ある特定の用語は、便宜上のみ本開示において使用され、限定されない。「左」、「右」、「前部」、「後部」、「上部」、「下部」という語は、参照が為される図面中の方向を指定する。その用語は、上記の語、ならびにそれらの派生語及び類似の意味の語を含む。
【０１７２】
特定の実施形態が図解されて、本明細書に記載される一方、様々な他の変更及び修正が、特許請求の範囲に記載された主題の趣旨及び範囲から逸脱することなく為され得ることが理解されるべきである。その上、特許請求の範囲に記載された主題の様々な態様が本明細書に記載されたが、そのような態様は組み合わせて利用される必要がない。したがって、添付の特許請求の範囲が、特許請求の範囲に記載された主題の範囲内にあるすべてのそのような変更及び修正を網羅することが意図される。
【図１】
2020051622.tif 000003
【図２】
2020051622.tif 000004
【図３】
2020051622.tif 000005
【図４】
2020051622.tif 000006
【図５】
2020051622.tif 000007
【図６】
2020051622.tif 000008
【図７】
2020051622.tif 000009
【図８】
2020051622.tif 000010
【図９】
2020051622.tif 000011
【図１０Ａ】
2020051622.tif 000012
【図１０Ｂ】
2020051622.tif 000013
【図１０Ｃ】
2020051622.tif 000014
【図１１】
2020051622.tif 000015
【図１２】
2020051622.tif 000016
【図１３】
2020051622.tif 000017
【図１４】
2020051622.tif 000018
【図１５】
2020051622.tif 000019
【図１６Ａ】
2020051622.tif 000020
【図１６Ｂ】
2020051622.tif 000021
【図１７】
2020051622.tif 000022
【図１８】
2020051622.tif 000023
【図１９】
2020051622.tif 000024
【図２０】
2020051622.tif 000025
【図２１】
2020051622.tif 000026
【図２２】
2020051622.tif 000027
【図２３Ａ】
2020051622.tif 000028
【図２３Ｂ】
2020051622.tif 000029
【図２４】
2020051622.tif 000030
【図２５】
2020051622.tif 000031
【図２６】
2020051622.tif 000032
【図２７】
2020051622.tif 000033
【図２８Ａ】
2020051622.tif 000034
【図２８Ｂ】
2020051622.tif 000035
【図２９】
2020051622.tif 000036
【図３０】
2020051622.tif 000037
【図３１】
2020051622.tif 000038
【図３２】
2020051622.tif 000039
【図３３】
2020051622.tif 000040
【図３４】
2020051622.tif 000041
【図３５】
2020051622.tif 000042
【図３６】
2020051622.tif 000043
【図３７】
2020051622.tif 000044
【図３８】
2020051622.tif 000045
【図３９Ａ】
2020051622.tif 000046
【図３９Ｂ】
2020051622.tif 000047
【図４０】
2020051622.tif 000048
【図４１】
2020051622.tif 000049
【図４２】
2020051622.tif 000050
【図４３】
2020051622.tif 000051
【図４４】
2020051622.tif 000052
【図４５Ａ】
2020051622.tif 000053
【図４５Ｂ】
2020051622.tif 000054
【図４６】
2020051622.tif 000055
【図４７】
2020051622.tif 000056
【図４８】
2020051622.tif 000057
【図４９】
2020051622.tif 000058
【図５０】
2020051622.tif 000059
【図５１】
2020051622.tif 000060
【図５２】
2020051622.tif 000061
【図５３】
2020051622.tif 000062
【図５４】
2020051622.tif 000063
【図５５】
2020051622.tif 000064
【図５６】
2020051622.tif 000065
【図５７】
2020051622.tif 000066
【図５８】
2020051622.tif 000067
【図５９】
2020051622.tif 000068
【図６０】
2020051622.tif 000069
【図６１】
2020051622.tif 000070
【図６２】
2020051622.tif 000071
【図６３】
2020051622.tif 000072
【図６４】
2020051622.tif 000073
【図６５】
2020051622.tif 000074
【図６６】
2020051622.tif 000075
【図６７】
2020051622.tif 000076
【図６８】
2020051622.tif 000077
【図６９】
2020051622.tif 000078
【図７０】
2020051622.tif 000079
【図７１】
2020051622.tif 000080
【図７２】
2020051622.tif 000081
【図７３】
2020051622.tif 000082
【図７４】
2020051622.tif 000083
【図７５】
2020051622.tif 000084
【図７６】
2020051622.tif 000085
【図７７】
2020051622.tif 000086
【図７８】
2020051622.tif 000087
【図７９】
2020051622.tif 000088
【図８０】
2020051622.tif 000089
【図８１】
2020051622.tif 000090
【図８２】
2020051622.tif 000091
【図８３】
2020051622.tif 000092
【図８４】
2020051622.tif 000093
【図８５】
2020051622.tif 000094
【図８６】
2020051622.tif 000095
【図８７】
2020051622.tif 000096
【図８８】
2020051622.tif 000097
【図８９】
2020051622.tif 000098
【図９０】
2020051622.tif 000099
【図９１】
2020051622.tif 000100
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
迅速取付トラックと取付部とを備えた機器取付システムであって、
前記迅速取付トラックは、取付面及び裏側面を備え、当該迅速取付トラックは、細長い寸法及び横寸法と、当該取付面内で当該細長い寸法に沿って平行に延びる第１のスロット及び第２のスロットと、当該第１及び第２のスロット内に配置され、当該第１及び第２のスロットの各々の中で当該細長い寸法に沿って互いに離間している複数の取付点と、当該取付面内で当該第１及び第２のスロットの間を当該細長い寸法に沿って互いに離間している複数の係止ピン開口と、を画定し、
前記第１及び第２のスロットの各々は、前記細長い寸法に沿って互いに離間する複数の外形を有する標的領域を備え、
前記複数の係止ピン開口の各々は、前記横寸法に沿って前記第１及び第２の外側スロットから前記外形を有する複数の標的領域の各１つに整合し、
前記複数の取付点の各々は、前記第１及び第２のスロットの各１つを通って延びてその中に開口部を画定し、締結デバイスがそこを通って受領可能であり、当該第１及び第２のスロットの各１つの中の当該複数の取付点の各々が（ａ）前記細長い寸法に沿って互いに離間し、且つ、（ｂ）当該細長い寸法に沿って前記外形を有する複数の標的領域の近接する領域から離間しており、
前記取付部は、前記第１及び第２のスロット及び前記複数の係止ピン開口の少なくとも１つを通って前記迅速取付トラックに取り外し可能に結合され、当該取り付け部と当該迅速取付トラックとの間に形成された係止接続部が前記複数の取付点上で直接的に生じる荷重負担接続点になる、機器取付システム。
【請求項２】
前記迅速取付トラックは、互いに平行で且つ前記第１及び第２のスロットに対して平行な第１の板縁及び第２の板縁を含む下地板を備える、請求項１に記載の機器取付システム。
【請求項３】
前記第１の板縁及び第２の板縁は、前記下地板の最外部を画定し、当該最外部は、当該下地板の表側面から裏側面へ先細になる、請求項２に記載の機器取付システム。
【請求項４】
前記下地板は、前記裏側面上で前記細長い寸法の長さに沿って延びる内部チェイスを更に備える、請求項２に記載の機器取付システム。
【請求項５】
前記内部チェイスは、前記第１及び第２のスロットの間の空間に沿って延びる、請求項４に記載の機器取付システム。
【請求項６】
前記迅速取付トラックは、第１の迅速取付トラックであり、
前記機器取付システムは、
前記第１迅速トラックと同一の第２の迅速取付トラックと、
前記第１及び第２の迅速取付トラックに接合するトラックキーと、を更に備え、
前記トラックキーは、前記第１及び第２の迅速取付トラックの各々に備わったキー開口部に摺動可能に結合する、請求項１に記載の機器取付システム。
【請求項７】
前記トラックキーは、前記第１及び第２の迅速取付トラックの各々に備わった前記キー開口部に干渉嵌めを介して摺動可能に結合する、請求項６に記載の機器取付システム。
【請求項８】
前記迅速取付トラックは、第１の迅速取付トラックであり、
前記機器取付システムは、前記第１迅速トラックと同一の第２の迅速取付トラックを更に備え、
共通の縁に沿った前記第１及び第２の迅速取付トラックの各々は、一対の半領域及びそこに形成される半開口部を画定し、当該第１の迅速取付トラック及び第２の迅速取付トラックが当該共通の縁に沿って互いに隣接して配置されると、一対の前記外形を有する複数の標的領域と前記複数の係止ピン開口の１つが形成される、請求項１に記載の機器取付システム。
【請求項９】
前記迅速取付トラックの外端に結合された保護エンドキャップを更に備える、請求項１に記載の機器取付システム。
【請求項１０】
スロット係合フランジ及び結合器面を有するトラッククリップを更に備え、
前記トラッククリップは、前記結合器面によって反対側に保持されている前記スロット係合フランジを介して前記第１及び第２のスロットの一方で前記迅速取付トラックに取り外し可能に結合されている、請求項１に記載の機器取付システム。
【請求項１１】
前記トラッククリップは、ＩＶバッグを保持するためのフックを更に備える、請求項１０に記載の機器取付システム。
【請求項１２】
前記取付部に結合されている壁キャビネットと、当該取付部に結合されたラップトップ取付具と、当該取付部に結合されたトレイ取付具と、当該取付部に結合された酸素タンク取付具と、当該取付部に結合された除細動器取付具、のうちの少なくとも一つを更に備える、請求項１に記載の機器取付システム。
【請求項１３】
車両壁を更に備え、
前記迅速取付トラックは、前記裏側面に沿って前記複数の取付点の各１つを通して受領される前記締結デバイスを通して前記車両壁に結合される、請求項１に記載の機器取付システム。
【手続補正２】
【補正対象書類名】明細書
【補正対象項目名】０１７２
【補正方法】変更
【補正の内容】
【０１７２】
特定の実施形態が図解されて、本明細書に記載される一方、様々な他の変更及び修正が、特許請求の範囲に記載された主題の趣旨及び範囲から逸脱することなく為され得ることが理解されるべきである。その上、特許請求の範囲に記載された主題の様々な態様が本明細書に記載されたが、そのような態様は組み合わせて利用される必要がない。したがって、添付の特許請求の範囲が、特許請求の範囲に記載された主題の範囲内にあるすべてのそのような変更及び修正を網羅することが意図される。
〔態様１〕
機器取付システムであって、
先細の縁が表面または構造に結合している、迅速取付トラックであって、
第１の板縁、第２の板縁、複数の係止ピン開口、第１の外側スロット、及び第２の外側スロットを有する下地板であって、前記第１の板縁、前記第２の板縁、前記複数の係止ピン開口、前記第１の外側スロット、及び前記第２の外側スロットのすべてが、互いに実質的に平行であり、前記下地板の長さにわたり、前記第１の板縁が先細になり、前記第２の板縁が先細になり、前記第１の板縁及び前記第２の板縁が、前記下地板の前記長さに沿って、前記下地板の最外部を画定する、下地板と、
前記迅速取付トラックに結合された取付具上に及ぼされるいかなる力も、１つ以上の取付点に前記迅速取付トラックを通して直接伝達されるように、前記第１の外側スロット及び前記第２の外側スロット内に位置付けられた、１つ以上の取付点と、
前記第１の板縁及び前記第２の板縁に沿って画定される面一な取付表面であって、前記迅速取付トラックと前記表面との間で封止を創出し、維持する面一な取付表面と、
前記迅速取付トラック内に配置され、前記面一な取付表面によって画定される、チェイスと、
前記第１の外側スロット及び前記第２の外側スロット内で離間配置され、前記複数の係止ピン開口と水平整合にある、複数のダイヤモンド外形をした標的領域と、
共通の縁に沿った、複数の半ダイヤモンド外形をした領域であって、前記共通の縁が、前記第１の板縁及び前記第２の板縁に実質的に直交している、複数の半ダイヤモンド外形をした領域と、を備える、迅速取付トラックを備える、機器取付システム。
〔態様２〕
前記表面または構造が、移動物体である、態様１に記載の機器取付システム。
〔態様３〕
前記移動物体が、救急搬送車両である、態様２に記載の機器取付システム。
〔態様４〕
前記救急搬送車両が、救急車またはヘリコプタである、態様３に記載の機器取付システム。
〔態様５〕
前記迅速取付トラックに取り外し可能に結合されたトラッククリップをさらに備え、
基部が、前記迅速取付トラックのスロットと摺動可能に結合すること、及び前記迅速取付トラックに対する前記トラッククリップの移動を最小化することを可能にするように、スロット係合フランジ及び基部幅を有する、基部と、
結合器面に沿って前記基部に結合される結合器であって、前記結合器面が、前記基部上で前記スロット係合フランジの反対側にある、結合器と、
キャリヤ軸に沿って前記基部に結合されるてこ作用機能部であって、前記キャリヤ軸が、前記結合器面に実質的に直交する、てこ作用機能部と、
前記迅速取付トラック上で開放領域と摺動可能に結合するように、開放領域係合インターフェースを有し、かつ第１の延伸部分及び第２の延伸部分を備える、キャリヤであって、前記第１の延伸部分が、前記キャリヤ上の前記第２の延伸部分の反対側にあり、前記キャリヤが、前記キャリヤ軸に沿って前記てこ作用機能部に摺動可能に結合し、かつばねによって係合位置において付勢される、キャリヤと、を備える、態様１に記載の機器取付システム。
〔態様６〕
前記キャリヤが、前記キャリヤに結合される第１のリップ及び第２のリップをさらに備え、移行力が、前記第１のリップ及び前記第２のリップに加えられ、これによって、前記キャリヤが、前記係合位置から係脱位置までの間を移行し、前記係合位置が、前記迅速取付トラックに前記トラッククリップを留め付け、前記係脱位置が、前記迅速取付トラックから前記トラッククリップを解放する、態様５に記載の機器取付システム。
〔態様７〕
前記キャリヤが、前記キャリヤに結合されるスナッバパッドをさらに備え、前記トラッククリップが前記係脱位置にあるとき、前記スナッバパッドが前記基部内に引き戻され、前記トラッククリップが前記係合位置にあるとき、前記スナッバパッドが前記基部の基部表面を超えて延伸され、前記スナッバパッドが、前記トラッククリップが前記迅速取付トラックに対して移動するのを防止する一方で、前記トラッククリップが、前記係合位置において前記迅速取付トラックに結合される、態様６に記載の機器取付システム。
〔態様８〕
前記結合器が、フック、ペグ、留め金、ラッチ、光、またはＵ字形リングであり、前記基部が、前記トラッククリップと前記迅速取付トラックとの間で干渉嵌めを創出するアンチラトルコーティングにおいて被覆される、態様５に記載の機器取付システム。
〔態様９〕
前記迅速取付トラックに取り外し可能に結合される壁キャビネットをさらに備え、
格納容量を境界する部分的エンクロージャであって、前記部分的エンクロージャの最後尾の範囲を画定する後部壁を備える、部分的エンクロージャと、
ドアであって、前記部分的エンクロージャの最前部の範囲を画定して、前記部分的エンクロージャに移動可能に結合され、前記格納容量から外側容量を仕切る閉鎖位置、及び前記外側容量から前記格納容量までのアクセスを可能にする開放位置を有し、前記ドアが前記閉鎖位置にあるとき、前記格納容量内の物体が前記外側容量から視認可能であることを可能にするウィンドウを備える、ドアと、
前記部分的エンクロージャに結合されて、前記迅速取付トラックに前記壁キャビネットを留め付けるように構成される、キャビネット取付具であって、
前記格納容量内のキャビネット板と、
前記外側容量内の取付位置であって、１つ以上の締結デバイス及び螺合カラーを備え、前記後部壁が、前記キャビネット板と前記取付具との間で捕捉される、取付位置と、
係止ピンに対して付勢されるピンばねを備える、回転ノブであって、前記回転ノブが、前記螺合カラーと結合するように構成され、これによって、前記キャビネット取付具が前記迅速取付トラックに結合されるとき、前記係止ピンが、前記迅速取付トラックの係止ピン開口に結合されるまで、前記回転ノブが、前記螺合カラー内に挿入及び回転され、前記ピンばねが、前記迅速取付トラックと前記壁キャビネットとの間のいかなる移動も減衰させる、回転ノブと、を備える、キャビネット取付具と、を備える、態様１に記載の機器取付システム。
〔態様１０〕
前記壁キャビネットが、
前記部分的エンクロージャに、かつドアスイッチに結合した１つ以上の発光ダイオード（ＬＥＤ）光を備え、前記１つ以上のＬＥＤ光が、低光量動作の間は赤色で、日中動作の間は白色で、前記格納容量を照明し、前記ドアが前記開放位置に移行されるとき、前記ドアスイッチが前記１つ以上のＬＥＤ光を起動させ、
前記部分的エンクロージャが、
底壁であって、前記部分的エンクロージャの下部延伸を画定し、前記ドアが前記開放位置にあるとき、前記物体が、前記格納容量から前記外側容量内に摺動することを妨げるように構成される保持リップを備える、底壁と、
前記部分的エンクロージャの第１の側壁に結合される第１の型枠であって、前記壁キャビネットとの衝撃の力を吸収するように構成され、前記壁キャビネットが、前記迅速取付トラック上で把持され、位置付けられることを可能にする構造をさらに備える、第１の型枠と、
前記部分的エンクロージャの第２の側壁に結合される第２の型枠であって、前記壁キャビネットとの衝撃の力を吸収するように構成され、前記壁キャビネットが、前記迅速取付トラック上で把持され、位置付けられることを可能にするグリップ構造をさらに備える、第２の型枠と、をさらに備える、態様９に記載の機器取付システム。
〔態様１１〕
前記迅速取付トラックに取り外し可能に結合されるラップトップ取付具をさらに備え、
プラットフォームと、
前記プラットフォームの完全な可動域を可能にする関節運動玉継手であって、第１の玉、第２の玉、及び圧縮クランプを備え、前記圧縮クランプが、前記圧縮クランプの第１の端部において前記第１の玉を、第２の端部において前記第２の玉を捕捉し、前記迅速取付トラックに対する前記プラットフォームの移動を凍結または抑制するために使用され、前記第１の玉が、前記プラットフォームに結合される、関節運動玉継手と、
係止位置と解放位置との間で前記ラップトップ取付具を移行させるためのラップトップ係止具であって、前記係止位置が、前記プラットフォームにラップトップを留め付けて、前記解放位置が、前記ラップトップが前記プラットフォームから取り外されることを可能にする、ラップトップ係止具と、を備え、
前記取付具が、前記第２の玉に結合されて、前記迅速取付トラックに前記ラップトップ取付具を取り外し可能に結合するように構成される、態様１に記載の機器取付システム。
〔態様１２〕
前記迅速取付トラックに取り外し可能に結合されるトレイ取付具をさらに備え、
トレイラックと、
前記トレイラックの完全な可動域を可能にする関節運動玉継手であって、第１の玉、第２の玉、及び圧縮クランプを備え、前記圧縮クランプが、前記圧縮クランプの第１の端部において前記第１の玉を、第２の端部において前記第２の玉を捕捉し、前記迅速取付トラックに対する前記トレイラックの移動を凍結または抑制するために使用され、前記第１の玉が、前記トレイラックに結合される、関節運動玉継手と、
１つ以上の回転ポストであって、前記１つ以上の回転ポストが保持位置にあるとき、前記トレイラック内でトレイを捕捉する、１つ以上の回転ポストと、を備え、
前記取付具が、前記関節運動玉継手に結合されて、前記迅速取付トラックに前記トレイ取付具を取り外し可能に結合するように構成される、態様１に記載の機器取付システム。
〔態様１３〕
前記迅速取付トラックに取り外し可能に結合される酸素ボンベ取付具をさらに備え、
１つ以上の酸素ボンベを保持するように構成されるフレームと、
前記フレームに結合されて、位置間で前記酸素ボンベ取付具を移動するために使用される、フレームハンドルと、
前記フレームに結合される１つ以上の保持クランプであって、各々が、酸素ボンベが前記保持クランプに取り外し可能に結合されることを可能にする迅速解放部を有する、１つ以上の保持クランプと、
チューブネットワークによって各酸素ボンベに流体結合して、１つ以上の医療デバイスと流体結合するように構成される、マニホルドと、
前記フレームの後部表面に結合され、前記後部表面上に配設されて、前記迅速取付トラックに前記酸素ボンベ取付具を取り外し可能に結合する、複数の取付スタッドと、
前記フレームに結合され、解放ハンドルと、係止位置において付勢される１つ以上の係止ピンとを有する１つ以上のトラック解放部であって、各係止ピンが、前記迅速取付トラックの係止ピン開口と摺動可能に結合し、前記解放ハンドルが、前記係止ピン開口から係止ピンを引っ張って、前記迅速取付トラックから前記酸素ボンベ取付具を解放するように構成される、１つ以上のトラック解放部と、を備える、態様１に記載の機器取付システム。
〔態様１４〕
前記迅速取付トラックに取り外し可能に結合される除細動器取付具をさらに備え、
上端部及び下端部を有するｃ−フレームと、
前記ｃ−フレームの前記下端部に結合されて、１つ以上の保持ブロック及び保持リップを有する、基部であって、各保持ブロックが、除細動器と摺動可能に結合されて、前記除細動器を前記基部に留め付けるために使用され、前記保持リップが、側方運動から前記除細動器を抑制するために使用され、前記除細動器取付具内に前記除細動器を設置するとき、ガイドとしての機能を果たす、基部と、
前記上端部に結合されて、前記除細動器のハンドルを捕捉して、保持するように構成される、顎型クランプであって、上顎、下顎、解放ボタン、バー、及びｊ−ラッチを備える、顎型クランプと、を備え、前記バーが、前記下顎に結合され、前記解放ボタン及び前記ｊ−ラッチが、前記上顎に結合され、前記ｊ−ラッチが、ラッチ位置において前記バーを捕捉して、保持するように構成され、前記解放ボタンが、前記ｊ−ラッチを起動させて、ラッチ解除位置において前記バーを解放するように構成され、
前記取付具が、前記ｃ−フレームに結合されて、前記迅速取付トラックに前記除細動器取付具を取り外し可能に結合するように構成される、態様１に記載の機器取付システム。
〔態様１５〕
前記迅速取付トラックに取り外し可能に結合される圧縮除細動器取付具をさらに備え、
前記圧縮除細動器取付具を補強して、それを衝突時に動作可能にする構造的押さえ材を有するｃ−フレームと、
前記ｃ−フレームの下端部に結合されて、１つ以上の保持ブロック及び保持リップを有する、基部であって、各保持ブロックが、除細動器と摺動可能に結合されて、前記除細動器を前記基部に留め付けるために使用され、前記保持リップが、側方運動から前記除細動器を抑制するために使用され、除細動器取付具内に前記除細動器を設置するとき、ガイドとしての機能を果たす、基部と、
上端に結合され、起動装置ハンドル及びデバイスインターフェースを備える除細動器ラッチであって、前記起動装置ハンドルが、係止位置と係止解除位置との間で移行し、前記デバイスインターフェースが、除細動器表面の外形を描き、これによって、前記デバイスインターフェースが、前記除細動器上で均一な力を及ぼして、前記除細動器ラッチと前記基部との間で前記除細動器を留め付ける、除細動器ラッチと、を備え、
前記取付具が、前記ｃ−フレームに結合されて、前記迅速取付トラックに前記圧縮除細動器取付具を取り外し可能に結合するように構成される、態様１に記載の機器取付システム。